(57)【要約】【課題】単一の光源で得られる原色成分毎の輝度が不揃いである場合でもそれを補償し、色再現性と投影画像の明るさを両立する。【解決手段】青色(Ｂ)光を発する半導体レーザ20と、青色光を用いて時分割で透過光の青色(Ｂ)光と反射蛍光光の緑色(Ｇ)光を発生するカラーホイール24及びモータ25と、赤色(Ｒ)光を発するＬＥＤ21と、カラーホイール24で発生するＢ光及びＧ光とＬＥＤ21で発するＲ光とが循環的に発生するように半導体レーザ20及びＬＥＤ21の駆動タイミングを制御する投影光処理部31と、画像信号を入力する入力部(11，12)と、ＲＧＢ光を用い、入力部(11，12)で入力する画像信号に対応したカラーの光像を形成して投影する投影系(13〜16，18，19)とを備える。【選択図】図１
2011028244.tif 000002
【特許請求の範囲】
【請求項１】
第１の波長帯域で発光する第１の光源と、
上記第１の光源の発光を用いて時分割で複数色の光源光を発生する光源光発生手段と、
上記第１の波長帯域とは異なる第２の波長帯域で発光する第２の光源と、
上記光源光発生手段で発生する複数色の光源光と上記第２の光源の発光による光源光とが循環的に発生するように上記第１及び第２の各光源の駆動タイミングを制御する光源制御手段と
を具備したことを特徴とする光源装置。
【請求項２】
第１の波長帯域で発光する第１の光源と、
上記第１の光源の発光を用いて時分割で複数色の光源光を発生する光源光発生手段と、
上記第１の波長帯域とは異なる第２の波長帯域で発光する第２の光源と、
上記光源光発生手段で発生する複数色の光源光と上記第２の光源の発光による光源光とが循環的に発生するように上記第１及び第２の各光源の駆動タイミングを制御する光源制御手段と、
画像信号を入力する入力手段と、
上記光源制御手段での制御に基づいて出射される光源光を用い、上記入力手段で入力する画像信号に対応したカラーの光像を形成して投影する投影手段と
を具備したことを特徴とする投影装置。
【請求項３】
上記第１の光源は、青色波長帯域のレーザ光を発光するとともに、上記光源光発生手段は、少なくとも上記レーザ光を励起光として緑色波長帯域を発光する蛍光体層と、上記レーザ光を拡散透過する拡散層とが周方向に並設されてなるカラーホイールであることを特徴とする請求項２記載の投影装置。
【請求項４】
上記第２の光源は、赤色波長帯域光を発光する発光ダイオードであることを特徴とする請求項３記載の投影装置。
【請求項５】
上記光源制御手段は、上記光源光発生手段で発生する複数色の光源光の少なくとも１つと、上記第２の光源の発光による光源光との発光タイミングを部分的に重複させて混色した光源光を発生し、
上記投影手段は、上記混色の光源光の発光タイミングに同期して該光源光の色に応じた光像を形成して投影する
ことを特徴とする請求項２乃至４いずれかに記載の投影装置。
【請求項６】
上記光源制御手段は、上記第２の光源が単独で発光する期間と上記第１及び第２の光源がともに発光して混色した光源光を発生する期間とを時間的に離間するように上記第１及び第２の各光源の駆動タイミングを制御することを特徴とする請求項５記載の投影装置。
【請求項７】
上記光源制御手段は、上記光源光発生手段で発生する複数色の光源光の切替期間に同期して上記第２の光源の発光による光源光を重複させ、混色した光源光を発生させることを特徴とする請求項５記載の投影装置。
【請求項８】
第１の波長帯域で発光する第１の光源、上記第１の光源の発光を用いて時分割で複数色の光源光を発生する光源光発生部、上記第１の波長帯域とは異なる第２の波長帯域で発光する第２の光源、画像信号を入力する入力部、光源光を用い、上記入力部で入力する画像信号に対応したカラーの光像を形成して投影する投影部を備えた投影装置での投影方法であって、
上記光源光発生部で発生する複数色の光源光と上記第２の光源の発光による光源光とが循環的に発生するように上記第１及び第２の各光源の駆動タイミングを制御する光源制御工程を有したことを特徴とする投影方法。
【発明の詳細な説明】
【技術分野】
【０００１】
本発明は、ＤＬＰ（Ｄｉｇｉｔａｌ  Ｌｉｇｈｔ  Ｐｒｏｃｅｓｓｉｎｇ）（登録商標）方式のデータプロジェクタ装置等に好適な光源装置、投影装置及び投影方法に関する。
【背景技術】
【０００２】
投射型表示装置でカラー表示をするためには、Ｒ，Ｇ，Ｂそれぞれの原色光を発光する面状光源と、それぞれに対応した空間光変調器が必要となることから、部品点数が増加し、装置全体の小型、軽量化及び低価格化が図れない。そこで、光源に紫外光を発光する発光ダイオードを使用し、当該発光ダイオードからの紫外光が照射されるカラーホイールの光源側の表面に紫外光を透過して可視光を反射する特性を有する可視光反射膜を形成し、該カラーホイールの裏面側に紫外光照射によりＲ，Ｇ，Ｂに対応した可視光をそれぞれ発光する蛍光体層を形成するようにした技術が考えられている。（例えば、特許文献１）
【先行技術文献】
【特許文献】
【０００３】
【特許文献１】特開２００４−３４１１０５号公報
【発明の概要】
【発明が解決しようとする課題】
【０００４】
しかしながら、上記特許文献に記載された技術をそのまま採用した場合、現在知られている各種赤色蛍光体はいずれも、他の緑色蛍光体、青色蛍光体に比して発光効率が著しく低く、そのままでは赤色の輝度が不足する。
【０００５】
その結果、輝度を優先して明るい投影画像を得ようとすると、ホワイトバランスが崩れて色再現性が低下するという不具合がある。一方でホワイトバランスを重視して色再現性を重視すると、輝度の低い赤色画像に合わせて全体の全体の輝度が低下し、暗い画像となる。
【０００６】
本発明は上記のような実情に鑑みてなされたもので、その目的とするところは、単一の光源で得られる原色成分毎の輝度が不揃いである場合でもそれを補償し、色再現性と投影画像の明るさを両立することが可能な光源装置、投影装置及び投影方法を提供することにある。
【課題を解決するための手段】
【０００７】
請求項１記載の発明は、第１の波長帯域で発光する第１の光源と、上記第１の光源の発光を用いて時分割で複数色の光源光を発生する光源光発生手段と、上記第１の波長帯域とは異なる第２の波長帯域で発光する第２の光源と、上記光源光発生手段で発生する複数色の光源光と上記第２の光源の発光による光源光とが循環的に発生するように上記第１及び第２の各光源の駆動タイミングを制御する光源制御手段とを具備したことを特徴とする。
【０００８】
請求項２記載の発明は、第１の波長帯域で発光する第１の光源と、上記第１の光源の発光を用いて時分割で複数色の光源光を発生する光源光発生手段と、上記第１の波長帯域とは異なる第２の波長帯域で発光する第２の光源と、上記光源光発生手段で発生する複数色の光源光と上記第２の光源の発光による光源光とが循環的に発生するように上記第１及び第２の各光源の駆動タイミングを制御する光源制御手段と、画像信号を入力する入力手段と、上記光源制御手段での制御に基づいて出射される光源光を用い、上記入力手段で入力する画像信号に対応したカラーの光像を形成して投影する投影手段とを具備したことを特徴とする。
【０００９】
請求項３記載の発明は、上記請求項２記載の発明において、上記第１の光源は、青色波長帯域のレーザ光を発光するとともに、上記光源光発生手段は、少なくとも上記レーザ光を励起光として緑色波長帯域を発光する蛍光体層と、上記レーザ光を拡散透過する拡散層とが周方向に並設されてなるカラーホイールであることを特徴とする。
【００１０】
請求項４記載の発明は、上記請求項３記載の発明において、上記第２の光源は、赤色波長帯域光を発光する発光ダイオードであることを特徴とする。
【００１１】
請求項５記載の発明は、上記請求項２乃至４いずれかに記載の発明において、上記光源制御手段は、上記光源光発生手段で発生する複数色の光源光の少なくとも１つと、上記第２の光源の発光による光源光との発光タイミングを部分的に重複させて混色した光源光を発生し、上記投影手段は、上記混色の光源光の発光タイミングに同期して該光源光の色に応じた光像を形成して投影することを特徴とする。
【００１２】
請求項６記載の発明は、上記請求項５記載の発明において、上記光源制御手段は、上記第２の光源が単独で発光する期間と上記第１及び第２の光源がともに発光して混色した光源光を発生する期間とを時間的に離間するように上記第１及び第２の各光源の駆動タイミングを制御することを特徴とする。
【００１３】
請求項７記載の発明は、上記請求項５記載の発明において、上記光源制御手段は、上記光源光発生手段で発生する複数色の光源光の切替期間に同期して上記第２の光源の発光による光源光を重複させ、混色した光源光を発生させることを特徴とする。
【００１４】
請求項８記載の発明は、第１の波長帯域で発光する第１の光源、上記第１の光源の発光を用いて時分割で複数色の光源光を発生する光源光発生部、上記第１の波長帯域とは異なる第２の波長帯域で発光する第２の光源、画像信号を入力する入力部、光源光を用い、上記入力部で入力する画像信号に対応したカラーの光像を形成して投影する投影部を備えた投影装置での投影方法であって、上記光源光発生部で発生する複数色の光源光と上記第２の光源の発光による光源光とが循環的に発生するように上記第１及び第２の各光源の駆動タイミングを制御する光源制御工程を有したことを特徴とする。
【発明の効果】
【００１５】
本発明によれば、単一の光源で得られる原色成分毎の輝度が不揃いである場合でもそれを補償し、色再現性と投影画像の明るさを両立することが可能となる。
【図面の簡単な説明】
【００１６】
【図１】本発明の一実施形態に係るデータプロジェクタ装置全体の機能回路構成を示すブロック図。
【図２】同実施形態に係る主に光源系の具体的な光学構成を示す図。
【図３】同実施形態に係るカラーホイールの構成を示す平面図。
【図４】同実施形態に係る１画像フレーム中の光学系の駆動処理内容を示すタイミングチャート。
【図５】同実施形態に係る第１の変形例での１画像フレーム中の光学系の駆動処理内容を示すタイミングチャート。
【図６】同実施形態に係る第２の変形例でのカラーホイールの構成を示す平面図。
【図７】同実施形態に係る第２の変形例での１画像フレーム中の光学系の駆動処理内容を示すタイミングチャート。
【図８】同実施形態に係る第３の変形例での１画像フレーム中の光学系の駆動処理内容を示すタイミングチャート。
【図９】同実施形態に係る第４の変形例でのカラーホイールの構成を示す平面図。
【図１０】同実施形態に係る第４の変形例での１画像フレーム中の光学系の駆動処理内容を示すタイミングチャート。
【図１１】同実施形態に係る第５の変形例での１画像フレーム中の光学系の駆動処理内容を示すタイミングチャート。
【図１２】同実施形態に係る第６の変形例でのカラーホイールの構成を示す平面図。
【図１３】同実施形態に係る第６の変形例での１画像フレーム中の光学系の駆動処理内容を示すタイミングチャート。
【図１４】同実施形態に係る第７の変形例での１画像フレーム中の光学系の駆動処理内容を示すタイミングチャート。
【図１５】同実施形態に係る第８の変形例でのカラーホイールの構成を示す平面図。
【図１６】同実施形態に係る第８の変形例での１画像フレーム中の光学系の駆動処理内容を示すタイミングチャート。
【発明を実施するための形態】
【００１７】
以下本発明をＤＬＰ（登録商標）方式のデータプロジェクタ装置に適用した場合の一実施形態について図面を参照して説明する。
【００１８】
図１は、本実施形態に係るデータプロジェクタ装置１０が備える電子回路の概略機能構成を示すブロック図である。  
１１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタを含む。
【００１９】
入出力コネクタ部１１より入力される各種規格の画像信号は、入出力インタフェース（Ｉ／Ｆ）１２、システムバスＳＢを介し、一般にスケーラとも称される画像変換部１３に入力される。
【００２０】
画像変換部１３は、入力された画像信号を投影に適した所定のフォーマットの画像信号に統一し、適宜表示用のバッファメモリであるビデオＲＡＭ１４に記憶した後に、投影画像処理部１５へ送る。
【００２１】
この際、ＯＳＤ（Ｏｎ  Ｓｃｒｅｅｎ  Ｄｉｓｐｌａｙ）用の各種動作状態を示すシンボル等のデータも必要に応じてビデオＲＡＭ１４で画像信号に重畳加工され、加工後の画像信号が投影画像処理部１５へ送られる。
【００２２】
投影画像処理部１５は、送られてきた画像信号に応じて、所定のフォーマットに従ったフレームレート、例えば１２０［フレーム／秒］と色成分の分割数、及び表示階調数を乗算した、より高速な時分割駆動により、空間的光変調素子（ＳＬＭ）であるマイクロミラー素子１６を表示駆動する。
【００２３】
このマイクロミラー素子１６は、アレイ状に配列された複数、例えばＸＧＡ（横１０２４画素×縦７６８画素）分の微小ミラーの各傾斜角度を個々に高速でオン／オフ動作することでその反射光により光像を形成する。
【００２４】
一方で、光源部１７から時分割でＲ，Ｇ，Ｂの原色光が循環的に出射される。この光源部１７からの原色光が、ミラー１８で反射して上記マイクロミラー素子１６に照射される。
【００２５】
そして、マイクロミラー素子１６での反射光で光像が形成され、形成された光像が投影レンズユニット１９を介して、投影対象となる図示しないスクリーンに投影表示される。
【００２６】
光源部１７は、具体的な光学構成については後述するが、２種類の光源、すなわち青色のレーザ光を発する半導体レーザ２０と、赤色光を発するＬＥＤ２１とを有する。
【００２７】
半導体レーザ２０の発する青色のレーザ光は、ミラー２２で反射された後、ダイクロイックミラー２３を透過して、カラーホイール２４の周上の１点に照射される。このカラーホイール２４は、モータ２５により回転される。カラーホイール２４のレーザ光が照射される周上には、緑色蛍光反射板と青色用透過拡散板とが合わせてリング状となるように形成されている。
【００２８】
本実施形態において、カラーホイール２４は、第１の面と第２の面とを有し、前記第１の光源光を拡散して透過することで前記第１の面から透過光を出力する第１の領域と、前記第１の光源光が照射されることにより励起された反射光を反射して第２の面から前記反射光を出力する第２の領域とをさらに有する光源光変調器として機能している。
【００２９】
また、カラーホイール２４は、前記第１の光源光を用いて、時間経過で変化する色を有する可変色光源光を生成する光源光生成手段としても機能している。
【００３０】
本実施形態において、カラーホイール２４は、第１の面と第２の面とを有し、前記第１の光源光を拡散して透過することで前記第１の面から透過光を出力する第１の領域と、前記第１の光源光が照射されることにより励起された反射光を反射して第２の面から前記反射光を出力する第２の領域とをさらに有する光源光変調器として機能している。
【００３１】
また、カラーホイール２４は、前記第１の光源光を用いて、時間経過で変化する色を有する可変色光源光を生成する光源光生成手段としても機能している。
【００３２】
カラーホイール２４の緑色蛍光反射板がレーザ光の照射位置にある場合、レーザ光の照射により緑色光が励起され、励起された緑色光がカラーホイール２４で反射された後、ダイクロイックミラー２３でも反射される。その後、この緑色光は、さらにダイクロイックミラー２８で反射され、インテグレータ２９で輝度分布が略均一な光束とされた後にミラー３０で反射されて、上記ミラー１８へ送られる。
【００３３】
また、カラーホイール２４の青色用透過拡散板がレーザ光の照射位置にある場合、レーザ光は該透過拡散板で拡散されながらカラーホイール２４を透過した後、ミラー２６，２７でそれぞれ反射される。その後、この青色光は、ダイクロイックミラー２８を透過し、インテグレータ２９で輝度分布が略均一な光束とされた後にミラー３０で反射されて、上記ミラー１８へ送られる。
【００３４】
さらに、上記ＬＥＤ２１の発した赤色光は、ダイクロイックミラー２３を透過した後にダイクロイックミラー２８で反射され、インテグレータ２９で輝度分布が略均一な光束とされた後にミラー３０で反射されて、上記ミラー１８へ送られる。
【００３５】
以上の如く、ダイクロイックミラー２３は、青色光、及び赤色光を透過する一方で、緑色光を反射する分光特性を有する。
【００３６】
また、ダイクロイックミラー２８は、青色光を透過する一方で、赤色光、及び緑色光を反射する分光特性を有する。
【００３７】
インテグレータ２９は、光入射面に入射した光の輝度分布を均一化し、光入射面に対向する光出射面から、略均一な輝度分布を有する光束として出力する。
【００３８】
光源部１７の半導体レーザ２０とＬＥＤ２１の各発光タイミング、及びモータ２５によるカラーホイール２４の回転を投影光処理部３１が統括して制御する。投影光処理部３１は、投影画像処理部１５から与えられる画像データのタイミングに応じて半導体レーザ２０、ＬＥＤ２１の各発光タイミングとカラーホイール２４の回転を制御する。
【００３９】
上記各回路の動作すべてをＣＰＵ３２が制御する。このＣＰＵ３２は、ＤＲＡＭで構成されたメインメモリ３３、及び動作プログラムや各種定型データ等を記憶した電気的書換可能な不揮発性メモリで構成されたプログラムメモリ３４を用いて、このデータプロジェクタ装置１０内の制御動作を実行する。
【００４０】
上記ＣＰＵ３２は、操作部３５からのキー操作信号に応じて各種投影動作を実行する。
この操作部３５は、データプロジェクタ装置１０の本体に設けられるキー操作部と、このデータプロジェクタ装置１０専用の図示しないリモートコントローラの間で赤外光を受光するレーザ受光部とを含み、ユーザが本体のキー操作部またはリモートコントローラで操作したキーに基づくキー操作信号をＣＰＵ３２へ直接出力する。
【００４１】
操作部３５は、上記キー操作部、及びリモートコントローラ共に、例えばフォーカス調整キー、ズーム調整キー、入力切換キー、メニューキー、カーソル（←，→，↑，↓）キー、セットキー、キャンセルキー等を備えるものとする。
【００４２】
上記ＣＰＵ３２はさらに、上記システムバスＳＢを介して音声処理部３６とも接続される。音声処理部３６は、ＰＣＭ音源等の音源回路を備え、投影動作時に与えられる音声データをアナログ化し、スピーカ部３７を駆動して拡声放音させ、あるいは必要によりビープ音等を発生させる。
【００４３】
次に、図２により主として光源部１７の具体的な光学系の構成例を示す。同図は、上記光源部１７周辺の構成を平面的なレイアウトで表現したものである。
【００４４】
ここでは、同一の発光特性を有する複数、例えば３つの半導体レーザ２０Ａ〜２０Ｃを設け、これら半導体レーザ２０Ａ〜２０Ｃはいずれも青色、例えば波長４５０［ｎｍ］のレーザ光を発振する。
【００４５】
これら半導体レーザ２０Ａ〜２０Ｃの発振した青色光は、レンズ４１Ａ〜４１Ｃを介して略平行化されて、ミラー２２Ａ〜２２Ｃで反射され、さらにレンズ４２，４３を介した後に上記ダイクロイックミラー２３を透過し、レンズ群４４を介してカラーホイール２４に照射される。
【００４６】
本実施形態において、レンズ４２、４３、及びレンズ群４４は、上記略平行化された青色光を、光軸上のカラーホイール２４の位置に集光する集光光学系を形成している。
【００４７】
図３は、本実施形態におけるカラーホイール２４の構成を示す。同図に示すようにカラーホイール２４上では、例えば中心角２９０°の円弧状の緑色蛍光体反射板２４Ｇと中心角７０°の円弧状の青色用透過拡散板２４Ｂとが合わせて１つのリングを形成する。
【００４８】
カラーホイール２４の緑色蛍光体反射板２４Ｇが青色光の照射位置にある場合、その照射により例えば波長約５３０［ｎｍ］を中心とした波長帯の緑色光がほぼ完全拡散光として励起され、励起された緑色光がカラーホイール２４で反射された後、レンズ群４４を介してダイクロイックミラー２３でも反射される。
【００４９】
ダイクロイックミラー２３で反射した緑色光は、レンズ４５を介してさらにダイクロイックミラー２８で反射され、レンズ４６を介してインテグレータ２９に導かれる。本実施形態において、レンズ群４４、レンズ４５、及びレンズ４６は、カラーホイール２４で励起された緑色光のビームサイズをインテグレータ２９の開口サイズに収まるようにしてインテグレータ２９に導く導光光学系を形成するよう設計されている。この導光光学系の倍率は、上記カラーホイール２４に照射される光の照射サイズに対する上記インテグレータ２９の開口サイズの比率と一致するように設計される。
【００５０】
そして、緑色光は、インテグレータ２９で輝度分布が略均一な光束とされた後にレンズ４７を介し、ミラー３０で全反射されて、レンズ４８を介して上記ミラー１８へ送られる。
【００５１】
ミラー１８で反射した緑色光は、レンズ４９を介してマイクロミラー素子１６に照射される。そして、その緑色光の反射光で緑色成分の光像が形成され、レンズ４９、上記投影レンズユニット１９を介して外部へ投射される。
【００５２】
また、カラーホイール２４の青色用透過拡散板２４Ｂが青色光の照射位置にある場合、青色光は該青色用透過拡散板２４Ｂで、ほぼ完全拡散光で励起される緑色光よりも低い拡散特性で拡散されながらカラーホイール２４の青色用透過拡散板２４Ｂを透過する。さらに、青色光は、背面側にあるレンズ５０によって集光された後にミラー２６で反射される。
【００５３】
カラーホイール２４を回転するモータ２５は、カラーホイール２４を透過した青色光を集光するレンズ５０と同じ側に配置している。カラーホイール２４を透過した青色光は、カラーホイール２４で反射する緑色光と比較して低拡散性を有しているため、レンズ５０は、カラーホイール２４で反射した緑色光を集光するレンズ群４４と比較して小型とすることができる。
【００５４】
さらに青色光は、レンズ５１を介してミラー２７で反射され、レンズ５２を介した後に上記ダイクロイックミラー２８を透過し、レンズ４６を介してインテグレータ２９に導かれる。本実施形態において、レンズ５０、５１、５２、及びレンズ４６は、カラーホイール２４を透過した青色光のビームサイズをインテグレータ２９の開口サイズに収まるようにしてインテグレータ２９に導く導光光学系を形成するよう設計されている。この導光光学系の倍率は、上記カラーホイール２４に照射される光の照射サイズに対する上記インテグレータ２９の開口サイズ比率と一致するように設計される。
【００５５】
そして、青色光は、インテグレータ２９で輝度分布が略均一な光束とされた後にレンズ４７を介し、ミラー３０で反射されて、レンズ４８を介して上記ミラー１８へ送られる。
【００５６】
一方、上記ＬＥＤ２１は、例えば波長６２０［ｎｍ］の赤色光を発生する。ＬＥＤ２１の発した赤色光は、レンズ群５３を介し、上記ダイクロイックミラー２３を透過した後にレンズ４５を介して上記ダイクロイックミラー２８で反射され、さらにレンズ４６を介してインテグレータ２９に導かれる。本実施形態において、レンズ群５３、レンズ４５、及びレンズ４６は、上記ＬＥＤ２１の発光サイズで出射される赤色光のビームサイズを、インテグレータ２９の開口サイズに収まるようにしてインテグレータ２９に導く導光光学系を形成するよう設計されている。この導光光学系の倍率は、上記ＬＥＤ２１の発光サイズに対する上記インテグレータ２９の開口サイズ比率と一致するように設計される。
【００５７】
そして、赤色光は、インテグレータ２９で輝度分布が略均一な光束とされた後にレンズ４７を介し、ミラー３０で反射されて、レンズ４８を介して上記ミラー１８へ送られる。
【００５８】
本実施形態において、レンズ４６は、赤色光（第２の光源光）、青色光（透過光）、および緑色光（反射光）をインテグレータ２９の光入射面に集光する集光レンズとして機能している。
【００５９】
また、上記ＬＥＤ２１は、上記半導体レーザ２０Ａ〜２０Ｃと近傍で、且つ半導体レーザ２０Ａ〜２０Ｃと光軸が並行となる向きに配置している。このように配置することにより、上記ＬＥＤ２１を冷却するためのヒートシンクと、上記半導体レーザ２０Ａ〜２０Ｃを冷却するためのヒートシンクとを一体化・共通化することが容易となり、冷却システムをコンパクト化して装置全体のサイズを小さくするとともに、冷却システムに要する部品点数を削減して低コスト化を図ることができる。
【００６０】
次に上記実施形態の動作について説明する。  
ここでは、投影するカラー画像１フレームを構成するＲ，Ｇ，Ｂの各原色画像を投影する期間（以下「Ｒフィールド、Ｇフィールド、Ｂフィールド」と称する）の時間比を１４：１５：７とする。
【００６１】
すなわち、定速回転するカラーホイール２４の１回転３６０°に対して、Ｒフィールド、Ｇフィールド、及びＢフィールドの時間比ｒ：ｇ：ｂは、カラーホイール２４の中心角度に置換すると１４０°：１５０°：７０°となる。
【００６２】
図４（Ａ）は、マイクロミラー素子１６に対して照射される光源光の色を示す。このように、１フレームに相当する期間でＲフィールド、Ｇフィールド、Ｂフィールドの各光像を１回ずつ形成するように制御される。
【００６３】
図４（Ｂ）はＬＥＤ２１の点灯タイミング、図４（Ｃ）は半導体レーザ（Ｂ−ＬＤ）２０Ａ〜２０Ｃの発振によりカラーホイール（ＣＷ）２４を介して発生される光源光の出力タイミングを示している。
【００６４】
上記図３で示した如くカラーホイール２４は緑色蛍光体反射板２４Ｇと青色用透過拡散板２４Ｂとで円周を二分するように構成されている。１フレーム期間の開始時、カラーホイール２４では青色用透過拡散板２４Ｂから緑色蛍光体反射板２４Ｇへと切り替わる位置が半導体レーザ２０Ａ〜２０Ｃからの光軸上に位置するように投影光処理部３１によってモータ２５の回転が制御される。
【００６５】
１フレームの当初、カラーホイール２４の中心角度で１４０°分に相当するＲフィールドの期間には、図４（Ｂ）に示す如くＬＥＤ２１の点灯により赤色光を発生し、マイクロミラー素子１６に照射させる。
【００６６】
このときマイクロミラー素子１６で赤色に対応した画像が表示されることで、その反射光により赤色の光像が形成され、投影レンズユニット１９を介して外部の投影対象に向けて投射される。
【００６７】
この間、半導体レーザ２０Ａ〜２０Ｃの発振は一時的に停止される。そのため、半導体レーザ２０Ａ〜２０Ｃが発振していればその光軸上の位置にカラーホイール２４の緑色蛍光体反射板２４Ｇが存在するものの、半導体レーザ２０Ａ〜２０Ｃの発振が一時的に停止されているので光源光としての緑色光は発生されない。
【００６８】
その後、ＬＥＤ２１の消灯と同期して半導体レーザ２０Ａ〜２０Ｃでの発振が開始され、以後カラーホイール２４の中心角度で１５０°分に相当するＧフィールドの期間に緑色蛍光体反射板２４Ｇで励起された緑色の反射光が光源光としてマイクロミラー素子１６に照射される。
【００６９】
このときマイクロミラー素子１６で緑色に対応した画像が表示されることで、その反射光により緑色の光像が形成され、投影レンズユニット１９を介して外部の投影対象に向けて投射される。
【００７０】
さらに、カラーホイール２４が回転して半導体レーザ２０Ａ〜２０Ｃからの光軸上に、緑色蛍光体反射板２４Ｇに代わって青色用透過拡散板２４Ｂが位置すると、以後カラーホイール２４の中心角度で７０°分に相当するＢフィールドの期間中は青色用透過拡散板２４Ｂで拡散した青色の透過光が光源光としてマイクロミラー素子１６に照射される。
【００７１】
このときマイクロミラー素子１６で青色に対応した画像が表示されることで、その反射光により青色の光像が形成され、投影レンズユニット１９を介して外部の投影対象に向けて投射される。
【００７２】
その後、Ｂフィールド及び１フレーム期間が終了し、青色用透過拡散板２４Ｂに代えて再び緑色蛍光体反射板２４Ｇが半導体レーザ２０Ａ〜２０Ｃからの光軸上に位置すると同時に、半導体レーザ２０Ａ〜２０Ｃの発振が一時的に停止され、ＬＥＤ２１が再度点灯して次のフレームのＲフィールド期間となる。
【００７３】
このように、緑色蛍光体反射板２４Ｇと青色用透過拡散板２４Ｂが形成されたカラーホイール２４の回転に同期してＬＥＤ２１と半導体レーザ２０Ａ〜２０Ｃの点灯、発振タイミングを制御することで、ＬＥＤ２１の点灯による赤色光と、半導体レーザ２０Ａ〜２０Ｃの発振による緑色光及び青色光が時分割で循環的に発生し、マイクロミラー素子１６に照射されることとなる。
【００７４】
以上詳記した如く本実施形態によれば、レーザ光の励起で発光する赤色蛍光体の発光輝度が他の色に比して低いことに鑑み、単一の光源として青色光を発振する半導体レーザ２０Ａ〜２０Ｃで得られる原色成分毎の輝度が不揃いである場合に、他の光源として赤色光を発生するＬＥＤ２１を用いてそれを補償することで原色毎のバランスを取り、色再現性と投影画像の明るさを両立することが可能となる。
【００７５】
（第１の変形例）  
次に、本実施形態に係る第１の変形例について説明する。  
なお、本変形例においては、基本的なデータプロジェクタ装置１０の構成及び特に光源部１７の構成に関して上記図１及び図２に示した内容と同様であるものとし、その説明は省略する。
【００７６】
ここでは、投影するカラー画像１フレームを構成するＲ，Ｙ（イエロー），Ｇ，Ｂの各原色画像を投影する期間（以下「Ｒフィールド、Ｙフィールド、Ｇフィールド、Ｂフィールド」と称する）の時間比を１０．５：１０．５：８：７とする。
【００７７】
すなわち、定速回転するカラーホイール２４の１回転３６０°に対して、Ｒフィールド、Ｙフィールド、Ｇフィールド、及びＢフィールドの時間比ｒ：ｙ：ｇ：ｂは、カラーホイール２４の中心角度に置換すると１０５°：１０５°：８０°：７０°となる。
【００７８】
図５（Ａ）は、マイクロミラー素子１６に対して照射される光源光の色を示す。このように、１フレームに相当する期間でＲフィールド、Ｙフィールド、Ｇフィールド、Ｂフィールドの各光像を１回ずつ形成するように制御される。
【００７９】
図５（Ｂ）はＬＥＤ２１の点灯タイミング、図５（Ｃ）は半導体レーザ（Ｂ−ＬＤ）２０Ａ〜２０Ｃの発振によりカラーホイール（ＣＷ）２４を介して発生される光源光の出力タイミングを示している。
【００８０】
上記図３で示した如くカラーホイール２４は緑色蛍光体反射板２４Ｇと青色用透過拡散板２４Ｂとで円周を二分するように構成されている。１フレーム期間の開始時、カラーホイール２４では青色用透過拡散板２４Ｂから緑色蛍光体反射板２４Ｇへと切り替わる位置が半導体レーザ２０Ａ〜２０Ｃからの光軸上に位置するように投影光処理部３１によってモータ２５の回転が制御される。
【００８１】
１フレームの当初、カラーホイール２４の中心角度で１０５°分に相当するＲフィールドの期間には、図５（Ｂ）に示す如くＬＥＤ２１の点灯による赤色光のみを発生し、マイクロミラー素子１６に照射させる。
【００８２】
このときマイクロミラー素子１６で赤色に対応した画像が表示されることで、その反射光により赤色の光像が形成され、投影レンズユニット１９を介して外部の投影対象に向けて投射される。
【００８３】
この間、半導体レーザ２０Ａ〜２０Ｃの発振は一時的に停止される。そのため、半導体レーザ２０Ａ〜２０Ｃが発振していればその光軸上の位置にカラーホイール２４の緑色蛍光体反射板２４Ｇが存在するものの、半導体レーザ２０Ａ〜２０Ｃの発振が一時的に停止されているので光源光としての緑色光は発生されない。
【００８４】
その後、ＬＥＤ２１の点灯が継続されたまま、半導体レーザ２０Ａ〜２０Ｃでの発振が開始され、以後カラーホイール２４の中心角度で１０５°分に相当するＹフィールドの期間となる。
【００８５】
このとき、ＬＥＤ２１の点灯による赤色光と、半導体レーザ２０Ａ〜２０Ｃの発振によりカラーホイール２４の緑色蛍光体反射板２４Ｇで励起された緑色の反射光とがダイクロイックミラー２３以降で混色され、黄色の光源光としてマイクロミラー素子１６に照射される。
【００８６】
このときマイクロミラー素子１６で黄色に対応した画像を表示させることで、その反射光により緑色の光像が形成され、投影レンズユニット１９を介して外部の投影対象に向けて投射される。
【００８７】
続くＧフィールドの期間となると、ＬＥＤ２１を消灯させるとともに半導体レーザ２０Ａ〜２０Ｃでの発振は継続し、以後カラーホイール２４の中心角度で８０°分に相当するＧフィールドの期間となる。
【００８８】
このとき、半導体レーザ２０Ａ〜２０Ｃの発振によりカラーホイール２４の緑色蛍光体反射板２４Ｇで励起された緑色の反射光が光源光としてマイクロミラー素子１６に照射させる。
【００８９】
したがってマイクロミラー素子１６で緑色に対応した画像を表示させることで、その反射光により緑色の光像が形成され、投影レンズユニット１９を介して外部の投影対象に向けて投射される。
【００９０】
その後、カラーホイール２４が回転して半導体レーザ２０Ａ〜２０Ｃからの光軸上に、緑色蛍光体反射板２４Ｇに代わって青色用透過拡散板２４Ｂが位置すると、カラーホイール２４の中心角度で７０°分に相当するＢフィールドの期間となり、このＢフィールド期間中は青色用透過拡散板２４Ｂで拡散した青色の透過光が光源光としてマイクロミラー素子１６に照射される。
【００９１】
このときマイクロミラー素子１６で青色に対応した画像が表示されることで、その反射光により青色の光像が形成され、投影レンズユニット１９を介して外部の投影対象に向けて投射される。
【００９２】
その後、Ｂフィールド及び１フレーム期間が終了し、青色用透過拡散板２４Ｂに代えて再び緑色蛍光体反射板２４Ｇが半導体レーザ２０Ａ〜２０Ｃからの光軸上に位置すると同時に、半導体レーザ２０Ａ〜２０Ｃの発振を一時的に停止させるとともに、ＬＥＤ２１を再度点灯して次のフレームのＲフィールド期間となる。
【００９３】
このように、緑色蛍光体反射板２４Ｇと青色用透過拡散板２４Ｂが形成されたカラーホイール２４の回転に同期してＬＥＤ２１と半導体レーザ２０Ａ〜２０Ｃの点灯、発振タイミングを制御することで、ＬＥＤ２１単独での点灯による赤色光、ＬＥＤ２１の点灯による赤色光と半導体レーザ２０Ａ〜２０Ｃの発振による緑色光との混色による黄色光、半導体レーザ２０Ａ〜２０Ｃ単独での発振による緑色光、及び同青色光が時分割で循環的に発生し、マイクロミラー素子１６に照射されることとなる。
【００９４】
特に、ＬＥＤ２１と半導体レーザ２０Ａ〜２０Ｃの双方を用いた混色（補色）による黄色光を得るべく、上記図４に示した場合に比して図５中に矢印Ｖａ，Ｖｂで示す如くＬＥＤ２１の点灯期間と半導体レーザ２０Ａ〜２０Ｃの発振期間を延長するものとして設定した。これにより、投影画像全体をより明るくすることができる。
【００９５】
（第２の変形例）  
次に、本実施形態に係る第２の変形例について説明する。  
なお、本変形例においては、基本的なデータプロジェクタ装置１０の構成及び特に光源部１７の構成に関して上記図１及び図２に示した内容と同様であるものとし、その説明は省略する。
【００９６】
ここでは、投影するカラー画像１フレームを構成するＲ，Ｗ（ホワイト）、Ｙ（イエロー），Ｇ，Ｂの各原色画像を投影する期間（以下「Ｒフィールド、Ｗフィールド、Ｙフィールド、Ｇフィールド、Ｂフィールド」と称する）の時間比を１０．５：５．５：５：８：７とする。
【００９７】
すなわち、定速回転するカラーホイール２４の１回転３６０°に対して、Ｒフィールド、Ｗフィールド、Ｙフィールド、Ｇフィールド、及びＢフィールドの時間比ｒ：ｗ：ｙ：ｇ：ｂは、カラーホイール２４の中心角度に置換すると１０５°：５５°：５０°：８０°：７０°となる。
【００９８】
図６は、上記カラーホイール２４に代わって使用されるカラーホイール２４１の構成を示す。同図に示すようにカラーホイール２４１上では、例えば中心角１６０°の円弧状のシアン色蛍光体反射板２４Ｃ、中心角５０°の円弧状の緑色蛍光体反射板２４Ｇ１、中心角８０°の円弧状の緑色蛍光体反射板２４Ｇ２、及び中心角７０°の円弧状の青色用透過拡散板２４Ｂが合わせて１つのリングを形成する。
【００９９】
カラーホイール２４１のシアン色蛍光体反射板２４Ｃが半導体レーザ２０Ａ〜２０Ｃからの青色光の照射位置にある場合、その照射により例えば波長約４８０［ｎｍ］を中心とした波長帯のシアン（藍）光が励起され、励起されたシアン色光がカラーホイール２４１で反射された後、レンズ群４４を介してダイクロイックミラー２３でも反射される。
【０１００】
また、カラーホイール２４１の緑色蛍光体反射板２４Ｇ１が半導体レーザ２０Ａ〜２０Ｃからの青色光の照射位置にある場合、その照射により例えば波長約５６０［ｎｍ］を中心とした波長帯の緑色光が励起され、励起された緑色光がカラーホイール２４１で反射された後、レンズ群４４を介してダイクロイックミラー２３でも反射される。
【０１０１】
さらに、カラーホイール２４１の緑色蛍光体反射板２４Ｇ２が半導体レーザ２０Ａ〜２０Ｃからの青色光の照射位置にある場合、その照射により例えば波長約５３０［ｎｍ］を中心とした波長帯の緑色光が励起され、励起された緑色光がカラーホイール２４１で反射された後、レンズ群４４を介してダイクロイックミラー２３でも反射される。
【０１０２】
図７（Ａ）は、マイクロミラー素子１６に対して照射される光源光の色を示す。このように、１フレームに相当する期間でＲフィールド、Ｗフィールド、Ｙフィールド、Ｇフィールド、Ｂフィールドの各光像を１回ずつ形成するように制御される。
【０１０３】
図７（Ｂ）はＬＥＤ２１の点灯タイミング、図７（Ｃ）は半導体レーザ（Ｂ−ＬＤ）２０Ａ〜２０Ｃの発振によりカラーホイール（ＣＷ）２４１を介して発生される光源光の出力タイミングを示している。
【０１０４】
上記図６で示した如くカラーホイール２４１はシアン色蛍光体反射板２４Ｃ、緑色蛍光体反射板２４Ｇ１，２４Ｇ２と青色用透過拡散板２４Ｂとで円周を４分するように構成されている。１フレーム期間の開始時、カラーホイール２４１では青色用透過拡散板２４Ｂからシアン色蛍光体反射板２４Ｃへと切り替わる位置が半導体レーザ２０Ａ〜２０Ｃからの光軸上に位置するように投影光処理部３１によってモータ２５の回転が制御される。
【０１０５】
１フレームの当初、カラーホイール２４１の中心角度で１０５°分に相当するＲフィールドの期間には、図７（Ｂ）に示す如くＬＥＤ２１の点灯による赤色光のみを発生し、マイクロミラー素子１６に照射させる。
【０１０６】
このときマイクロミラー素子１６で赤色に対応した画像が表示されることで、その反射光により赤色の光像が形成され、投影レンズユニット１９を介して外部の投影対象に向けて投射される。
【０１０７】
この間、半導体レーザ２０Ａ〜２０Ｃの発振は一時的に停止される。そのため、半導体レーザ２０Ａ〜２０Ｃが発振していればその光軸上の位置にカラーホイール２４１のシアン色蛍光体反射板２４Ｃが存在するものの、半導体レーザ２０Ａ〜２０Ｃの発振が一時的に停止されているので光源光としてのシアン色光は発生されない。
【０１０８】
その後、ＬＥＤ２１の点灯が継続されたまま、半導体レーザ２０Ａ〜２０Ｃでの発振が開始され、以後カラーホイール２４１の中心角度で５５°分に相当するＷフィールドの期間となる。
【０１０９】
このとき、ＬＥＤ２１の点灯による赤色光と、半導体レーザ２０Ａ〜２０Ｃの発振によりカラーホイール２４１のシアン色蛍光体反射板２４Ｃで励起されたシアン色の反射光とがダイクロイックミラー２３以降で混色され、白色の光源光としてマイクロミラー素子１６に照射される。
【０１１０】
このときマイクロミラー素子１６で白色に対応した輝度画像を表示させることで、その反射光によりモノクロの輝度画像による光像が形成され、投影レンズユニット１９を介して外部の投影対象に向けて投射される。
【０１１１】
続くＹフィールドでは、ＬＥＤ２１の点灯と半導体レーザ２０Ａ〜２０Ｃでの発振が継続され、カラーホイール２４１の緑色蛍光体反射板２４Ｇ１が半導体レーザ２０Ａ〜２０Ｃからの背色光の光軸上に位置する。
【０１１２】
これにより、ＬＥＤ２１の点灯による赤色光と、半導体レーザ２０Ａ〜２０Ｃの発振によりカラーホイール２４１の緑色蛍光体反射板２４Ｇ１で励起された緑色の反射光とがダイクロイックミラー２３以降で混色され、黄色の光源光としてマイクロミラー素子１６に照射される。
【０１１３】
このときマイクロミラー素子１６で黄色に対応した画像を表示させることで、その反射光により黄色の光像が形成され、投影レンズユニット１９を介して外部の投影対象に向けて投射される。
【０１１４】
次のＧフィールドの期間となると、ＬＥＤ２１を消灯させるとともに半導体レーザ２０Ａ〜２０Ｃでの発振は継続し、以後カラーホイール２４１の中心角度で８０°分に相当するＧフィールドの期間となる。
【０１１５】
このとき、半導体レーザ２０Ａ〜２０Ｃの発振によりカラーホイール２４１の緑色蛍光体反射板２４Ｇ２で励起された緑色の反射光が光源光としてマイクロミラー素子１６に照射させる。
【０１１６】
したがってマイクロミラー素子１６で緑色に対応した画像を表示させることで、その反射光により緑色の光像が形成され、投影レンズユニット１９を介して外部の投影対象に向けて投射される。
【０１１７】
その後、カラーホイール２４１がさらに回転して半導体レーザ２０Ａ〜２０Ｃからの光軸上に、緑色蛍光体反射板２４Ｇ２に代わって青色用透過拡散板２４Ｂが位置すると、カラーホイール２４１の中心角度で７０°分に相当するＢフィールドの期間となり、このＢフィールド期間中は青色用透過拡散板２４Ｂで拡散した青色の透過光が光源光としてマイクロミラー素子１６に照射される。
【０１１８】
このときマイクロミラー素子１６で青色に対応した画像を表示させることで、その反射光により青色の光像が形成され、投影レンズユニット１９を介して外部の投影対象に向けて投射される。
【０１１９】
その後、Ｂフィールド及び１フレーム期間が終了し、青色用透過拡散板２４Ｂに代えて再びシアン色蛍光体反射板２４Ｃが半導体レーザ２０Ａ〜２０Ｃからの光軸上に位置すると同時に、半導体レーザ２０Ａ〜２０Ｃの発振を一時的に停止させるとともに、ＬＥＤ２１を再度点灯して次のフレームのＲフィールド期間となる。
【０１２０】
このように、シアン色蛍光体反射板２４Ｃ、緑色蛍光体反射板２４Ｇ１，２４Ｇ２と青色用透過拡散板２４Ｂが形成されたカラーホイール２４１の回転に同期してＬＥＤ２１と半導体レーザ２０Ａ〜２０Ｃの点灯、発振タイミングを制御することで、ＬＥＤ２１単独での点灯による赤色光、ＬＥＤ２１の点灯による赤色光と半導体レーザ２０Ａ〜２０Ｃの発振によるシアン光との混色による白色光、ＬＥＤ２１の点灯による赤色光と半導体レーザ２０Ａ〜２０Ｃの発振による緑色光との混色による黄色光、半導体レーザ２０Ａ〜２０Ｃ単独での発振による緑色光、及び同青色光が時分割で循環的に発生し、マイクロミラー素子１６に照射されることとなる。
【０１２１】
特に、ＬＥＤ２１と半導体レーザ２０Ａ〜２０Ｃの双方を用いた混色（補色）による白色光と黄色光とを得るべく、カラーホイール２４１に形成する蛍光体の種類を変化させるものとした。これにより、光源側の出力を変えることなく多様な色の光源光を得ることができ、投影画像全体をより明るく、演色性に優れたものにできる。
【０１２２】
（第３の変形例）  
次に、本実施形態に係る第３の変形例について説明する。  
なお、本変形例においては、基本的なデータプロジェクタ装置１０の構成及び特に光源部１７の構成に関して上記図１及び図２に示した内容と同様であるものとし、その説明は省略する。
【０１２３】
ここでは、投影するカラー画像１フレームを構成するＲ，Ｇ，Ｂの各原色画像を投影する期間（以下「Ｒフィールド、Ｇフィールド、Ｂフィールド」と称する）に対して、各境界期間（以下「スポーク期間」と称する）を設けて１フレームをＲ，Ｙ（イエロー），Ｇ，Ｙ（イエロー），Ｂ，Ｍ（マゼンタ）の計６フィールドとし、これらＲ，Ｙ，Ｇ，Ｙ，Ｂ，Ｍの各フィールド部分の時間比を１３：１：１４：１：６：１とする。
【０１２４】
すなわち、定速回転するカラーホイール２４の１回転３６０°に対して、Ｒフィールド、Ｙフィールド、Ｇフィールド、Ｙフィールド、Ｂフィールド、及びＭフィールドの時間比ｒ：ｙ：ｇ：ｙ：ｂ：ｍは、カラーホイール２４の中心角度に置換すると１３０°：１０°：１４０°：１０°：６０°：１０°となる。
【０１２５】
図８（Ａ）は、マイクロミラー素子１６に対して照射される光源光の色を示す。このように、１フレームに相当する期間でＲフィールド、Ｙフィールド、Ｇフィールド、Ｙフィールド、Ｂフィールド、及びＭフィールドの各光像を順次形成するように制御される。
【０１２６】
図８（Ｂ）はＬＥＤ２１の点灯タイミング、図８（Ｃ）は半導体レーザ（Ｂ−ＬＤ）２０Ａ〜２０Ｃの発振によりカラーホイール（ＣＷ）２４を介して発生される光源光の出力タイミングを示している。
【０１２７】
上記図３で示した如くカラーホイール２４は緑色蛍光体反射板２４Ｇと青色用透過拡散板２４Ｂとで円周を二分するように構成されている。１フレーム期間の開始時、カラーホイール２４では青色用透過拡散板２４Ｂから緑色蛍光体反射板２４Ｇへと切り替わる位置が半導体レーザ２０Ａ〜２０Ｃからの光軸上に位置するように投影光処理部３１によってモータ２５の回転が制御される。
【０１２８】
１フレームの当初、カラーホイール２４の中心角度で１３０°分に相当するＲフィールドの期間には、図８（Ｂ）に示す如くその直前のフレームから引き続き点灯しているＬＥＤ２１により赤色光を発生し、マイクロミラー素子１６に照射させる。
【０１２９】
このときマイクロミラー素子１６で赤色に対応した画像が表示されることで、その反射光により赤色の光像が形成され、投影レンズユニット１９を介して外部の投影対象に向けて投射される。
【０１３０】
この間、半導体レーザ２０Ａ〜２０Ｃの発振は一時的に停止される。そのため、半導体レーザ２０Ａ〜２０Ｃが発振していればその光軸上の位置にカラーホイール２４の緑色蛍光体反射板２４Ｇが存在するものの、半導体レーザ２０Ａ〜２０Ｃの発振が一時的に停止されているので光源光としての緑色光は発生されない。
【０１３１】
その後、ＬＥＤ２１が点灯した状態を維持する一方で、半導体レーザ２０Ａ〜２０Ｃでの発振が開始され、以後カラーホイール２４の中心角度で１０°分に相当するＹフィールドの期間に緑色蛍光体反射板２４Ｇで励起された緑色の反射光も光源光としてマイクロミラー素子１６に照射される。
【０１３２】
このときダイクロイックミラー２３以降では、ＬＥＤ２１の点灯による赤色光と緑色蛍光体反射板２４Ｇで励起された緑色光とが混色され、補色により黄色光がマイクロミラー素子１６に照射されることとなる。マイクロミラー素子１６では、黄色に対応した画像を表示することで、その反射光により黄色の光像が形成され、投影レンズユニット１９を介して外部の投影対象に向けて投射される。
【０１３３】
この短いＹフィールドの後、赤色光を発生するＬＥＤ２１が消灯される一方で、半導体レーザ２０Ａ〜２０Ｃによる緑色光の発生は維持される。以後カラーホイール２４の中心角度で１４０°分に相当するＧフィールドの期間に緑色蛍光体反射板２４Ｇで励起された緑色の反射光のみが光源光としてマイクロミラー素子１６に照射される。
【０１３４】
マイクロミラー素子１６では、緑色に対応した画像を表示することで、その反射光により緑色の光像が形成され、投影レンズユニット１９を介して外部の投影対象に向けて投射される。
【０１３５】
そして、Ｇフィールド終了後、半導体レーザ２０Ａ〜２０Ｃとカラーホイール２４とによる緑色光の発生が維持された状態で、再度ＬＥＤ２１による赤色光の点灯が開始される。
【０１３６】
この１フレーム中で２回目のＹフィールドにあっては、Ｇフィールド直前のＹフィールドと同様に、カラーホイール２４の中心角度で１０°分に相当する期間にＬＥＤ２１での点灯による赤色光が、上記緑色光と混色され、補色による黄色光がマイクロミラー素子１６に照射される。マイクロミラー素子１６では、黄色に対応した画像を表示することで、その反射光により黄色の光像が形成され、投影レンズユニット１９を介して外部の投影対象に向けて投射される。この２回目のＹフィールドの終了と共にＬＥＤ２１が消灯される。
【０１３７】
続くＢフィールドでは、カラーホイール２４の回転により半導体レーザ２０Ａ〜２０Ｃからの光軸上に、緑色蛍光体反射板２４Ｇに代わって青色用透過拡散板２４Ｂが位置するもので、以後カラーホイール２４の中心角度で６０°分に相当するＢフィールドの期間中は青色用透過拡散板２４Ｂで拡散した青色の透過光のみが光源光としてマイクロミラー素子１６に照射される。
【０１３８】
このときマイクロミラー素子１６で青色に対応した画像が表示されることで、その反射光により青色の光像が形成され、投影レンズユニット１９を介して外部の投影対象に向けて投射される。
【０１３９】
その後、Ｂフィールドが終了し、半導体レーザ２０Ａ〜２０Ｃとカラーホイール２４とによる青色光の発生が維持された状態で、再度ＬＥＤ２１による赤色光の点灯が開始される。
【０１４０】
このＭフィールドにあっては、カラーホイール２４の中心角度で１０°分に相当する期間にＬＥＤ２１での点灯による赤色光が、上記青色光と混色され、補色によるマゼンタ（赤紫）色光がマイクロミラー素子１６に照射される。
【０１４１】
マイクロミラー素子１６では、マゼンタ色に対応した画像を表示することで、その反射光によりマゼンタ色の光像が形成され、投影レンズユニット１９を介して外部の投影対象に向けて投射される。このＭフィールドの終了以後も、次のフレームに対応してＬＥＤ２１の点灯が維持される。
【０１４２】
このように、本来はＲ，Ｇ，Ｂの原色画像を投影する期間に対し、その境界期間であるスポーク期間にＬＥＤ２１を同時点灯させて混色による補色の画像を投影する期間を設けるものとしたため、画像全体をより明るくすることができる。
【０１４３】
なお、上記スポーク期間の１フレームあたり２回のＹフィールド及びＭフィールドでは、それぞれ黄色の画像、及びマゼンタ色の画像を投影するものとして説明したが、他のフィールドとの間でのカラーバランスを調整した上で、あえて上記スポーク期間では光像を形成せず、マイクロミラー素子１６の全画素が当該フィールド期間中ずっとオンとなる全面フル階調とすることにより、１フレームあたりの画像の明るさをより増すものとしてもよい。
【０１４４】
また、同じくスポーク期間の１フレームあたり２回のＹフィールド及びＭフィールドでは、その光源色に対応したより広い色範囲での光像、例えばＹフィールドではオレンジ色〜黄色〜黄緑の色範囲に応じた光像を、Ｍフィールドでは青〜青紫〜紫の色範囲に応じた光像を形成して投影することで、明るいだけではなく、色再現性を増すものとしてもよい。
【０１４５】
さらに、同じく上記スポーク期間では詳細な階調表現を行なわず、２値画像による光像を形成して投影することにより、１フレームあたりの画像の明るさとコントラストをより増すこともできる。
【０１４６】
（第４の変形例）  
次に、本実施形態に係る第４の変形例について説明する。  
なお、本変形例においては、基本的なデータプロジェクタ装置１０の構成及び特に光源部１７の構成に関して上記図１及び図２に示した内容と同様であるものとし、その説明は省略する。
【０１４７】
ここでは、投影するカラー画像１フレームを構成するＲ，Ｇ，Ｂの各原色画像を投影する期間（以下「Ｒフィールド、Ｇフィールド、Ｂフィールド」と称する）に対して、各境界期間（以下「スポーク期間」と称する）を設けて１フレームをＲ，Ｙ（イエロー），Ｇ，Ｗ（ホワイト），Ｂ，Ｍ（マゼンタ）の計６フィールドとし、これらＲ，Ｙ，Ｇ，Ｗ，Ｂ，Ｍの各フィールド部分の時間比を１３：１：１４：１：６：１とする。
【０１４８】
すなわち、定速回転するカラーホイール２４２の１回転３６０°に対して、Ｒフィールド、Ｙフィールド、Ｇフィールド、Ｗフィールド、Ｂフィールド、及びＭフィールドの時間比ｒ：ｙ：ｇ：ｗ：ｂ：ｍは、カラーホイール２４の中心角度に置換すると１３０°：１０°：１４０°：１０°：７０°：１０°となる。
【０１４９】
図９は、上記カラーホイール２４に代わって使用されるカラーホイール２４２の構成を示す。同図に示すようにカラーホイール２４２上では、例えば中心角１３０°の円弧状の緑色蛍光体反射板２４Ｇ１、中心角１０°の緑色蛍光体反射板２４Ｇ２、中心角１４０°の円弧状の緑色蛍光体反射板２４Ｇ１、中心角１０°のシアン色蛍光体反射板２４Ｃ、中心角６０°の青色用透過拡散板２４Ｂ１、及び中心角１０°の青色用蛍光体反射板２４Ｂ２が合わせて１つのリングを形成する。
【０１５０】
カラーホイール２４２の緑色蛍光体反射板２４Ｇ１が半導体レーザ２０Ａ〜２０Ｃからの青色光の照射位置にある場合、その照射により例えば波長約５３０［ｎｍ］を中心とした波長帯の緑色光が励起され、励起された緑色光がカラーホイール２４２で反射された後、レンズ群４４を介してダイクロイックミラー２３でも反射される。
【０１５１】
また、カラーホイール２４２のスポーク期間に相当する緑色蛍光体反射板２４Ｇ２が半導体レーザ２０Ａ〜２０Ｃからの青色光の照射位置にある場合、その照射により例えば波長約５６０［ｎｍ］を中心とした波長帯の緑色光が励起され、励起された緑色光がカラーホイール２４２で反射された後、レンズ群４４を介してダイクロイックミラー２３でも反射される。
【０１５２】
さらにカラーホイール２４２の同じくスポーク期間に相当するシアン色蛍光体反射板２４Ｃが半導体レーザ２０Ａ〜２０Ｃからの青色光の照射位置にある場合、その照射により例えば波長約４８０［ｎｍ］を中心とした波長帯のシアン（藍）光が励起され、励起されたシアン色光がカラーホイール２４２で反射された後、レンズ群４４を介してダイクロイックミラー２３でも反射される。
【０１５３】
また、カラーホイール２４２の青色用透過拡散板２４Ｂ１が半導体レーザ２０Ａ〜２０Ｃからの青色光の照射位置にある場合、その照射により半導体レーザ２０Ａ〜２０Ｃの発振する波長約４５０［ｎｍ］の青色光が拡散しながら透過し、透過した青色光がミラー２６，２７を介してダイクロイックミラー２８でも透過される。
【０１５４】
さらに、カラーホイール２４２のスポーク期間に相当する青色蛍光体反射板２４Ｂ２が半導体レーザ２０Ａ〜２０Ｃからの青色光の照射位置にある場合、その照射により例えば波長約４９０［ｎｍ］を中心とした波長帯の青色光が励起され、励起された青色光がカラーホイール２４２で反射された後、レンズ群４４を介してダイクロイックミラー２３でも反射される。
【０１５５】
図１０（Ａ）は、マイクロミラー素子１６に対して照射される光源光の色を示す。このように、１フレームに相当する期間でＲフィールド、Ｙフィールド、Ｇフィールド、Ｗフィールド、Ｂフィールド、及びＭフィールドの各光像を順次形成するように制御される。
【０１５６】
図１０（Ｂ）はＬＥＤ２１の点灯タイミング、図１０（Ｃ）は半導体レーザ（Ｂ−ＬＤ）２０Ａ〜２０Ｃの発振によりカラーホイール（ＣＷ）２４２を介して発生される光源光の出力タイミングを示している。
【０１５７】
上記図９で示した如くカラーホイール２４２は緑色蛍光体反射板２４Ｇ１、緑色蛍光体反射板２４Ｇ２、緑色蛍光体反射板２４Ｇ１、シアン色蛍光体反射板２４Ｃ、青色用透過拡散板２４Ｂ１及び青色用蛍光体反射板２４Ｂ２で円周を６分するように構成されている。１フレーム期間の開始時、カラーホイール２４２では青色用蛍光体反射板２４Ｂ２から緑色蛍光体反射板２４Ｇ１へと切り替わる位置が半導体レーザ２０Ａ〜２０Ｃからの光軸上に位置するように投影光処理部３１によってモータ２５の回転が制御される。
【０１５８】
１フレームの当初、カラーホイール２４２の中心角度で１３０°分に相当するＲフィールドの期間には、図１０（Ｂ）に示す如くその直前のフレームから引き続き点灯しているＬＥＤ２１により赤色光を発生し、マイクロミラー素子１６に照射させる。
【０１５９】
このときマイクロミラー素子１６で赤色に対応した画像が表示されることで、その反射光により赤色の光像が形成され、投影レンズユニット１９を介して外部の投影対象に向けて投射される。
【０１６０】
この間、半導体レーザ２０Ａ〜２０Ｃの発振は一時的に停止される。そのため、半導体レーザ２０Ａ〜２０Ｃが発振していればその光軸上の位置にカラーホイール２４２の緑色蛍光体反射板２４Ｇ１が存在するものの、半導体レーザ２０Ａ〜２０Ｃの発振が一時的に停止されているので光源光としての緑色光は発生されない。
【０１６１】
その後、ＬＥＤ２１が点灯した状態を維持する一方で、半導体レーザ２０Ａ〜２０Ｃでの発振が開始され、以後カラーホイール２４２の中心角度で１０°分に相当するＹフィールドの期間に緑色蛍光体反射板２４Ｇ２で励起された緑色の反射光も光源光としてマイクロミラー素子１６に照射される。
【０１６２】
このときダイクロイックミラー２３以降では、ＬＥＤ２１の点灯による赤色光と緑色蛍光体反射板２４Ｇ２で励起された緑色光とが混色され、補色により黄色光がマイクロミラー素子１６に照射されることとなる。マイクロミラー素子１６では、黄色に対応した画像を表示することで、その反射光により黄色の光像が形成され、投影レンズユニット１９を介して外部の投影対象に向けて投射される。
【０１６３】
この短いＹフィールドの後、赤色光を発生するＬＥＤ２１が消灯される一方で、カラーホイール２４２では光軸上に代わって緑色蛍光体反射板２４Ｇ１が位置し、あらたに緑色光が発生される。以後カラーホイール２４２の中心角度で１４０°分に相当するＧフィールドの期間に緑色蛍光体反射板２４Ｇ１で励起された緑色の反射光のみが光源光としてマイクロミラー素子１６に照射される。
【０１６４】
マイクロミラー素子１６では、緑色に対応した画像を表示することで、その反射光により緑色の光像が形成され、投影レンズユニット１９を介して外部の投影対象に向けて投射される。
【０１６５】
そして、Ｇフィールド終了後、半導体レーザ２０Ａ〜２０Ｃとカラーホイール２４２とにより今度はシアン色蛍光体反射板２４Ｃによるシアン光が発生されるとともに、再度ＬＥＤ２１による赤色光の点灯が開始される。
【０１６６】
このＷフィールドにあっては、カラーホイール２４２の中心角度で１０°分に相当する期間にＬＥＤ２１での点灯による赤色光が上記シアン色光と混色され、補色による白色光がマイクロミラー素子１６に照射される。
【０１６７】
マイクロミラー素子１６では、白色に対応した輝度画像を表示することで、その反射光により白色の輝度のみによる光像が形成され、投影レンズユニット１９を介して外部の投影対象に向けて投射される。このＷフィールドの終了と共にＬＥＤ２１が消灯される。
【０１６８】
続くＢフィールドでは、カラーホイール２４２の回転により半導体レーザ２０Ａ〜２０Ｃからの光軸上に、シアン色蛍光体反射板２４Ｃに代わって青色用透過拡散板２４Ｂ１が位置するもので、以後カラーホイール２４２の中心角度で６０°分に相当するＢフィールドの期間中は、青色用透過拡散板２４Ｂ１で拡散した青色の透過光のみが光源光としてマイクロミラー素子１６に照射される。
【０１６９】
このときマイクロミラー素子１６で青色に対応した画像が表示されることで、その反射光により青色の光像が形成され、投影レンズユニット１９を介して外部の投影対象に向けて投射される。
【０１７０】
その後、Ｂフィールドが終了し、半導体レーザ２０Ａ〜２０Ｃとカラーホイール２４２のスポーク期間の青色用蛍光体反射板２４Ｂ２とにより青色光が発生された状態で、再度ＬＥＤ２１による赤色光の点灯が開始される。
【０１７１】
このＭフィールドにあっては、カラーホイール２４２の中心角度で１０°分に相当する期間にＬＥＤ２１での点灯による赤色光が、青色用蛍光体反射板２４Ｂ２での上記青色光と混色され、補色によるマゼンタ（赤紫）色光がマイクロミラー素子１６に照射される。マイクロミラー素子１６では、マゼンタ色に対応した画像を表示することで、その反射光によりマゼンタ色の光像が形成され、投影レンズユニット１９を介して外部の投影対象に向けて投射される。このＭフィールドの終了以後も、次のフレームに対応してＬＥＤ２１の点灯が維持される。
【０１７２】
このように、本来はＲ，Ｇ，Ｂの原色画像を投影する期間に対し、その境界期間であるスポーク期間にＬＥＤ２１を同時点灯させて混色による補色の画像を投影する期間を設けるものとしたため、画像全体をより明るくすることができる。
【０１７３】
加えて、上記カラーホイール２４２のスポーク期間に使用する蛍光体はいずれも隣接する同色系統の蛍光体等とあえて異なる周波数帯の色を励起するものとした。これにより、光源側の出力を変えることなく多様な色の光源光を得ることができ、投影画像全体をより明るく、演色性に優れたものにできる。
【０１７４】
（第５の変形例）  
次に、本実施形態に係る第５の変形例について説明する。  
なお、本変形例においては、基本的なデータプロジェクタ装置１０の構成及び特に光源部１７の構成に関して上記図１及び図２に示した内容と同様であるものとし、その説明は省略する。
【０１７５】
ここでは、投影するカラー画像１フレームを構成するＲ，Ｙ（イエロー），Ｇ，Ｙ，Ｍ（マゼンタ），Ｂ，Ｍの各原色画像を投影する期間（以下「Ｒフィールド、Ｙフィールド、Ｇフィールド、Ｙフィールド、Ｍフィールド、Ｂフィールド、Ｍフィールド」と称する）の時間比を８．５：１２．５：６：１：１：５：２とする。
【０１７６】
すなわち、定速回転するカラーホイール２４の１回転３６０°に対して、Ｒフィールド、Ｙフィールド、Ｇフィールド、Ｙフィールド、Ｍフィールド、Ｂフィールド、及びＭフィールドの時間比ｒ：ｙ：ｇ：ｙ：ｍ：ｂ：ｍは、カラーホイール２４の中心角度に置換すると８５°：１２５°：６０°：１０°：１０°：５０°：２０°となる。
【０１７７】
図１１（Ａ）は、マイクロミラー素子１６に対して照射される光源光の色を示す。このように、１フレームに相当する期間でＲフィールド、Ｙフィールド、Ｇフィールド、Ｙフィールド、Ｍフィールド、Ｂフィールド、及びＭフィールドの各光像を１回ずつ形成するように制御される。
【０１７８】
図１１（Ｂ）はＬＥＤ２１の点灯タイミング、図１１（Ｃ）は半導体レーザ（Ｂ−ＬＤ）２０Ａ〜２０Ｃの発振によりカラーホイール（ＣＷ）２４を介して発生される光源光の出力タイミングを示している。
【０１７９】
上記図３で示した如くカラーホイール２４は緑色蛍光体反射板２４Ｇと青色用透過拡散板２４Ｂとで円周を二分するように構成されている。１フレーム期間の開始時、カラーホイール２４では青色用透過拡散板２４Ｂから緑色蛍光体反射板２４Ｇへと切り替わる位置が半導体レーザ２０Ａ〜２０Ｃからの光軸上に位置するように投影光処理部３１によってモータ２５の回転が制御される。
【０１８０】
１フレームの当初、カラーホイール２４の中心角度で８５°分に相当するＲフィールドの期間には、図１１（Ｂ）に示す如くその直前のフレームから引き続き点灯しているＬＥＤ２１により赤色光を発生し、マイクロミラー素子１６に照射させる。
【０１８１】
このときマイクロミラー素子１６で赤色に対応した画像が表示されることで、その反射光により赤色の光像が形成され、投影レンズユニット１９を介して外部の投影対象に向けて投射される。
【０１８２】
この間、半導体レーザ２０Ａ〜２０Ｃの発振は一時的に停止される。そのため、半導体レーザ２０Ａ〜２０Ｃが発振していればその光軸上の位置にカラーホイール２４の緑色蛍光体反射板２４Ｇが存在するものの、半導体レーザ２０Ａ〜２０Ｃの発振が一時的に停止されているので光源光としての緑色光は発生されない。
【０１８３】
その後、ＬＥＤ２１の点灯が継続されたまま、半導体レーザ２０Ａ〜２０Ｃでの発振が開始され、以後カラーホイール２４の中心角度で１２５°分に相当するＹフィールドの期間となる。
【０１８４】
したがって、ＬＥＤ２１の点灯による赤色光と、半導体レーザ２０Ａ〜２０Ｃの発振によりカラーホイール２４の緑色蛍光体反射板２４Ｇで励起された緑色の反射光とがダイクロイックミラー２３以降で混色され、黄色の光源光としてマイクロミラー素子１６に照射される。
【０１８５】
このときマイクロミラー素子１６で黄色に対応した画像を表示させることで、その反射光により黄色の光像が形成され、投影レンズユニット１９を介して外部の投影対象に向けて投射される。
【０１８６】
続くＧフィールドの期間となると、ＬＥＤ２１を消灯させるとともに半導体レーザ２０Ａ〜２０Ｃでの発振は継続し、以後カラーホイール２４の中心角度で６０°分に相当するＧフィールドの期間となる。
【０１８７】
このとき、半導体レーザ２０Ａ〜２０Ｃの発振によりカラーホイール２４の緑色蛍光体反射板２４Ｇで励起された緑色の反射光が光源光としてマイクロミラー素子１６に照射させる。
【０１８８】
したがってマイクロミラー素子１６で緑色に対応した画像を表示させることで、その反射光により緑色の光像が形成され、投影レンズユニット１９を介して外部の投影対象に向けて投射される。
【０１８９】
その後、緑色蛍光体反射板２４Ｇの最後の部分が半導体レーザ２０Ａ〜２０Ｃからの光軸上に位置する、カラーホイール２４の中心角で１０°分に相当するＹフィールドの期間で、ＬＥＤ２１を点灯させ、赤色光を合わせてマイクロミラー素子１６に照射させる。
【０１９０】
したがって、ＬＥＤ２１の点灯による赤色光と、半導体レーザ２０Ａ〜２０Ｃの発振によりカラーホイール２４の緑色蛍光体反射板２４Ｇで励起された緑色の反射光とがダイクロイックミラー２３以降で混色され、黄色の光源光としてマイクロミラー素子１６に照射される。
【０１９１】
このときマイクロミラー素子１６で黄色に対応した画像を表示させることで、その反射光により黄色の光像が形成され、投影レンズユニット１９を介して外部の投影対象に向けて投射される。
【０１９２】
さらにカラーホイール２４が回転して半導体レーザ２０Ａ〜２０Ｃからの光軸上に、緑色蛍光体反射板２４Ｇに代わって青色用透過拡散板２４Ｂが位置すると、カラーホイール２４の中心角度で１０°分に相当するＭフィールドの期間となり、このＭフィールド期間中は青色用透過拡散板２４Ｂで拡散した青色の透過光とＬＥＤ２１より発生される赤色光とが混色され、その補色であるマゼンタ色の光源光がマイクロミラー素子１６に照射される。
【０１９３】
このときマイクロミラー素子１６でマゼンタ色に対応した画像が表示されることで、その反射光によりマゼンタ色の光像が形成され、投影レンズユニット１９を介して外部の投影対象に向けて投射される。このＭフィールドの終了と共にＬＥＤ２１が消灯される。
【０１９４】
続くＢフィールドでは、カラーホイール２４の中心角度で５０°分に相当する期間中、青色用透過拡散板２４Ｂで拡散した青色の透過光のみが光源光としてマイクロミラー素子１６に照射される。
【０１９５】
このときマイクロミラー素子１６で青色に対応した画像が表示されることで、その反射光により青色の光像が形成され、投影レンズユニット１９を介して外部の投影対象に向けて投射される。
【０１９６】
その後、Ｂフィールドが終了し、Ｍフィールドとなって再度ＬＥＤ２１による赤色光の点灯が開始される。このＭフィールドにあっては、カラーホイール２４の中心角度で２０°分に相当する期間にＬＥＤ２１での点灯による赤色光が、青色用透過拡散板２４Ｂを透過した青色光と混色され、補色によるマゼンタ色光がマイクロミラー素子１６に照射される。
【０１９７】
マイクロミラー素子１６では、マゼンタ色に対応した画像を表示することで、その反射光によりマゼンタ色の光像が形成され、投影レンズユニット１９を介して外部の投影対象に向けて投射される。このＭフィールドの終了以後も、次のフレームに対応してＬＥＤ２１の点灯が維持される。
【０１９８】
このように、緑色蛍光体反射板２４Ｇと青色用透過拡散板２４Ｂが形成されたカラーホイール２４の回転に同期してＬＥＤ２１と半導体レーザ２０Ａ〜２０Ｃの点灯、発振タイミングを制御することで、ＬＥＤ２１単独での点灯による赤色光、ＬＥＤ２１の点灯による赤色光と半導体レーザ２０Ａ〜２０Ｃの発振による緑色光との混色による黄色光、半導体レーザ２０Ａ〜２０Ｃ単独での発振による緑色光、同黄色光、マゼンタ色光、同青色光、及びマゼンタ色光が時分割で循環的に発生し、マイクロミラー素子１６に照射されることとなる。
【０１９９】
特に、ＬＥＤ２１と半導体レーザ２０Ａ〜２０Ｃの双方を用いた混色（補色）による黄色光を得るべく、上記図４に示した場合に比して図１１中に矢印ＸＩａ，ＸＩｂで示す如くＬＥＤ２１の点灯期間と半導体レーザ２０Ａ〜２０Ｃの発振期間を延長するものとして設定した。加えて、Ｒ，Ｙ，Ｇ，Ｂに対する各切替期間となるスポーク期間においてもＬＥＤ２１と半導体レーザ２０Ａ〜２０Ｃの双方を用いた。これにより、投影画像全体をより明るくすることができる。
【０２００】
（第６の変形例）  
次に、本実施形態に係る第６の変形例について説明する。  
なお、本変形例においては、基本的なデータプロジェクタ装置１０の構成及び特に光源部１７の構成に関して上記図１及び図２に示した内容と同様であるものとし、その説明は省略する。
【０２０１】
ここでは、投影するカラー画像１フレームを構成するＲ，Ｙ（イエロー），Ｇ，Ｂの各色画像を投影する期間（以下「Ｒフィールド、Ｙフィールド、Ｇフィールド、Ｂフィールド」と称する）に対して、各境界期間（以下「スポーク期間」と称する）を設けて１フレームをＲ，Ｗ（ホワイト）１，Ｙ，Ｗ２，Ｇ，Ｗ３，Ｂ，Ｗ４の計８フィールドとし、これらＲ，Ｗ１，Ｙ，Ｗ２，Ｇ，Ｗ３，Ｂ，Ｗ４の各フィールド部分の時間比を８．５：２：８．５：２：６：２：５：２とする。
【０２０２】
すなわち、後述する、定速回転するカラーホイール２４３の１回転３６０°に対して、Ｒフィールド、Ｗ１フィールド、Ｙフィールド、Ｗ２フィールド、Ｇフィールド、Ｗ３フィールド、Ｂフィールド、及びＷ４フィールドの時間比ｒ：ｗ１：ｙ：ｗ２：ｇ：ｗ３：ｂ：ｗ４は、カラーホイール２４３の中心角度に置換すると８５°：２０°：８５°：２０°：６０°：２０°：５０°：２０°となる。
【０２０３】
図１２は、上記カラーホイール２４に代わって使用されるカラーホイール２４３の構成を示す。同図に示すようにカラーホイール２４３上では、例えば中心角８５°の円弧状の緑色蛍光体反射板２４Ｇ１、中心角２０°のシアン色蛍光体反射板２４Ｃ１、中心角８５°の緑色蛍光体反射板２４Ｇ２、中心角２０°のシアン色蛍光体反射板２４Ｃ２、中心角６０°の緑色蛍光体反射板２４Ｇ３、中心角２０°のシアン色蛍光体反射板２４Ｃ３、中心角５０°の青色用透過拡散板２４Ｂ、及び中心角２０°のシアン色蛍光体反射板２４Ｃ４が合わせて１つのリングを形成する。
【０２０４】
緑色蛍光体反射板２４Ｇ１及び緑色蛍光体反射板２４Ｇ３は同様の光学的特性を有するものであり、半導体レーザ２０Ａ〜２０Ｃからの青色光の照射位置にある場合、その照射により例えば波長約５３０［ｎｍ］を中心とした波長帯の緑色光が励起され、励起された緑色光がカラーホイール２４３で反射された後、レンズ群４４を介してダイクロイックミラー２３でも反射される。
【０２０５】
また、緑色蛍光体反射板２４Ｇ２は、半導体レーザ２０Ａ〜２０Ｃからの青色光の照射位置にある場合、その照射により例えば波長約５６０［ｎｍ］を中心とした波長帯の緑色光が励起され、励起された緑色光がカラーホイール２４３で反射された後、レンズ群４４を介してダイクロイックミラー２３でも反射される。
【０２０６】
青色用透過拡散板２４Ｂは、半導体レーザ２０Ａ〜２０Ｃからの青色光の照射位置にある場合、半導体レーザ２０Ａ〜２０Ｃの発振する例えば波長約４５０［ｎｍ］の青色光を拡散しながら透過させる。透過した青色光はミラー２６，２７を介してダイクロイックミラー２８でも透過される。
【０２０７】
上記シアン色蛍光体反射板２４Ｃ１〜２４Ｃ４は、上記緑色蛍光体反射板２４Ｇ１〜２４Ｇ３及び青色用透過拡散板２４Ｂに対して介在され、それらの各境界期間（以下「スポーク期間」と称する）の短い時間で主として投影画像の明るさを向上するべく配置される。
【０２０８】
しかして、これらシアン色蛍光体反射板２４Ｃ１〜２４Ｃ４は半導体レーザ２０Ａ〜２０Ｃからの青色光が照射された場合に励起して出射するシアン色光の波長帯域特性が互いに異なるように予め蛍光体材料が選定されている。
【０２０９】
図１３（Ａ）は、マイクロミラー素子１６に対して照射される光源光の色を示す。このように、１フレームに相当する期間でＲフィールド、Ｗ１フィールド、Ｙフィールド、Ｗ２フィールド、Ｇフィールド、Ｗ３フィールド、Ｂフィールド、及びＷ４フィールドの各光像を順次形成するように制御される。
【０２１０】
図１３（Ｂ）はＬＥＤ２１の点灯タイミング、図１３（Ｃ）は半導体レーザ（Ｂ−ＬＤ）２０Ａ〜２０Ｃの発振によりカラーホイール（ＣＷ）２４３を介して発生される光源光の出力タイミングを示している。
【０２１１】
上記図１２で示した如くカラーホイール２４３は緑色蛍光体反射板２４Ｇ１、シアン色蛍光体反射板２４Ｃ１、緑色蛍光体反射板２４Ｇ２、シアン色蛍光体反射板２４Ｃ２、緑色蛍光体反射板２４Ｇ３、シアン色蛍光体反射板２４Ｃ３、青色用透過拡散板２４Ｂ及びシアン色蛍光体反射板２４Ｃ４で円周を８分するように構成されている。
【０２１２】
１フレーム期間の開始時、カラーホイール２４３ではシアン色蛍光体反射板２４Ｃ４から緑色蛍光体反射板２４Ｇ１へと切り替わる位置が半導体レーザ２０Ａ〜２０Ｃからの光軸上に位置するように投影光処理部３１によってモータ２５の回転が制御される。
【０２１３】
１フレームの当初、カラーホイール２４３の中心角度で８５°分に相当するＲフィールドの期間には、図１３（Ｂ）に示す如くその直前のフレームから引き続き点灯しているＬＥＤ２１により赤色光を発生し、マイクロミラー素子１６に照射させる。
【０２１４】
このときマイクロミラー素子１６で赤色に対応した画像が表示されることで、その反射光により赤色の光像が形成され、投影レンズユニット１９を介して外部の投影対象に向けて投射される。
【０２１５】
この間、半導体レーザ２０Ａ〜２０Ｃの発振は一時的に停止される。そのため、半導体レーザ２０Ａ〜２０Ｃが発振していればその光軸上の位置にカラーホイール２４３の緑色蛍光体反射板２４Ｇ１が存在するものの、半導体レーザ２０Ａ〜２０Ｃの発振が一時的に停止されているので光源光としての緑色光は発生されない。
【０２１６】
その後、ＬＥＤ２１が点灯した状態を維持する一方で、半導体レーザ２０Ａ〜２０Ｃでの発振が開始され、以後カラーホイール２４３の中心角度で２０°分に相当するＷ１フィールドの期間に、シアン色蛍光体反射板２４Ｃ１で励起されたシアン色の反射光も光源光としてマイクロミラー素子１６に照射される。
【０２１７】
このときダイクロイックミラー２３以降では、ＬＥＤ２１の点灯による赤色光とシアン色蛍光体反射板２４Ｃ１で励起されたシアン色光とが混色され、補色により白色光がマイクロミラー素子１６に照射されることとなる。
【０２１８】
マイクロミラー素子１６では、白色に対応した輝度画像を表示することで、その反射光により白色の光像が形成され、投影レンズユニット１９を介して外部の投影対象に向けて投射される。
【０２１９】
この短いＷ１フィールドの後、さらにＬＥＤ２１の点灯による赤色光の発生が維持される一方で、カラーホイール２４２では光軸上に代わって緑色蛍光体反射板２４Ｇ２が位置し、あらたに緑色光が発生される。以後カラーホイール２４３の中心角度で８５°分に相当するＹフィールドの期間に、ＬＥＤ２１からの赤色光と緑色蛍光体反射板２４Ｇ２で励起された緑色の反射光とが光源光としてマイクロミラー素子１６に照射される。
【０２２０】
このときダイクロイックミラー２３以降では、ＬＥＤ２１の点灯による赤色光と緑色蛍光体反射板２４Ｇ２で励起された緑色光とが混色され、補色により黄色光がマイクロミラー素子１６に照射されることとなる。マイクロミラー素子１６では、黄色に対応した画像を表示することで、その反射光により黄色の光像が形成され、投影レンズユニット１９を介して外部の投影対象に向けて投射される。
【０２２１】
その後、ＬＥＤ２１が依然として点灯した状態を維持する一方で、半導体レーザ２０Ａ〜２０Ｃでの発振も維持されて、以後カラーホイール２４３の中心角度で２０°分に相当するＷ２フィールドの期間に、シアン色蛍光体反射板２４Ｃ２で励起されたシアン色の反射光も光源光としてマイクロミラー素子１６に照射される。
【０２２２】
このときダイクロイックミラー２３以降では、ＬＥＤ２１の点灯による赤色光とシアン色蛍光体反射板２４Ｃ２で励起されたシアン色光とが混色され、補色により白色光がマイクロミラー素子１６に照射されることとなる。マイクロミラー素子１６では、白色に対応した輝度画像を表示することで、その反射光により白色の光像が形成され、投影レンズユニット１９を介して外部の投影対象に向けて投射される。
【０２２３】
この短いＷ２フィールドを終えると、赤色光を発生するＬＥＤ２１が消灯される一方で、カラーホイール２４３では光軸上に代わって緑色蛍光体反射板２４Ｇ３が位置し、あらたに緑色光が発生される。
【０２２４】
以後カラーホイール２４３の中心角度で６０°分に相当するＧフィールドの期間に緑色蛍光体反射板２４Ｇ３で励起された緑色の反射光のみが光源光としてマイクロミラー素子１６に照射される。
【０２２５】
マイクロミラー素子１６では、緑色に対応した画像を表示することで、その反射光により緑色の光像が形成され、投影レンズユニット１９を介して外部の投影対象に向けて投射される。
【０２２６】
そして、Ｇフィールド終了後、半導体レーザ２０Ａ〜２０Ｃとカラーホイール２４３とにより今度はシアン色蛍光体反射板２４Ｃ３によるシアン光が発生されるとともに、再度ＬＥＤ２１による赤色光の点灯が開始される。
【０２２７】
このＷ３フィールドにあっては、カラーホイール２４３の中心角度で２０°分に相当する期間にＬＥＤ２１での点灯による赤色光が上記シアン色光と混色され、補色による白色光がマイクロミラー素子１６に照射される。
【０２２８】
マイクロミラー素子１６では、白色に対応した輝度画像を表示することで、その反射光により白色の輝度のみによる光像が形成され、投影レンズユニット１９を介して外部の投影対象に向けて投射される。このＷ３フィールドの終了と共にＬＥＤ２１が消灯される。
【０２２９】
続くＢフィールドでは、カラーホイール２４３の回転により半導体レーザ２０Ａ〜２０Ｃからの光軸上に、シアン色蛍光体反射板２４Ｃ３に代わって青色用透過拡散板２４Ｂが位置するもので、以後カラーホイール２４３の中心角度で５０°分に相当するＢフィールドの期間中は青色用透過拡散板２４Ｂで拡散した青色の透過光のみが光源光としてマイクロミラー素子１６に照射される。
【０２３０】
このときマイクロミラー素子１６で青色に対応した画像が表示されることで、その反射光により青色の光像が形成され、投影レンズユニット１９を介して外部の投影対象に向けて投射される。
【０２３１】
その後、Ｂフィールドが終了し、半導体レーザ２０Ａ〜２０Ｃとカラーホイール２４３のスポーク期間のシアン色蛍光体反射板２４Ｃ４とによりシアン色光が発生された状態で、再度ＬＥＤ２１による赤色光の点灯が開始される。
【０２３２】
このＷ４フィールドにあっては、カラーホイール２４の中心角度で２０°分に相当する期間にＬＥＤ２１での点灯による赤色光が、シアン色蛍光体反射板２４Ｃ４での上記シアン色光と混色され、補色による白色光がマイクロミラー素子１６に照射される。
【０２３３】
マイクロミラー素子１６では、白色光に対応した輝度画像を表示することで、その反射光により白色の光像が形成され、投影レンズユニット１９を介して外部の投影対象に向けて投射される。このＷ４フィールドの終了以後も、次のフレームに対応してＬＥＤ２１の点灯が維持される。
【０２３４】
このように、Ｒ，Ｙ，Ｇ，Ｂの各色画像を投影する期間に対し、その境界期間であるスポーク期間にＬＥＤ２１を同時点灯させて混色による補色の画像を投影する期間を設けるものとしたため、画像全体をより明るくすることができる。
【０２３５】
加えて、上記カラーホイール２４３のスポーク期間に使用するシアン色蛍光体反射板２４Ｃ１〜２４Ｃ４は、シアン色という点では一致するものの、正確には互いに異なる周波数帯の色を励起するものとした。これにより、光源側の出力を変えることなく多様な色の光源光を得ることができ、投影画像全体をより明るく、演色性に優れたものにできる。
【０２３６】
（第７の変形例）  
次に、本実施形態に係る第７の変形例について説明する。  
なお、本変形例においては、基本的なデータプロジェクタ装置１０の構成及び特に光源部１７の構成に関して上記図１及び図２に示した内容と同様であるものとし、その説明は省略する。
【０２３７】
ここでは、投影するカラー画像１フレームを構成するＲ，Ｇ，Ｙ（イエロー），Ｂの各色画像を投影する期間（以下「Ｒフィールド、Ｇフィールド、Ｙフィールド、Ｂフィールド」と称する）の計４フィールドとし、これらＲ，Ｇ，Ｙ，Ｂの各フィールド部分の時間比を１０．５：１０．５：８：７とする。
【０２３８】
すなわち、定速回転する、上記図３に示したカラーホイール２４の１回転３６０°に対して、Ｒフィールド、Ｇフィールド、Ｙフィールド、及びＢフィールドの時間比ｒ：ｇ：ｙ：ｂは、カラーホイール２４の中心角度に置換すると１０５°：１０５°：８０°：７０°となる。
【０２３９】
図１４（Ａ）は、マイクロミラー素子１６に対して照射される光源光の色を示す。このように、１フレームに相当する期間でＲフィールド、Ｇフィールド、Ｙフィールド、Ｂフィールドの各光像を１回ずつ形成するように制御される。
【０２４０】
図１４（Ｂ）はＬＥＤ２１の点灯タイミング、図１４（Ｃ）は半導体レーザ（Ｂ−ＬＤ）２０Ａ〜２０Ｃの発振によりカラーホイール（ＣＷ）２４を介して発生される光源光の出力タイミングを示している。
【０２４１】
上記図３で示した如くカラーホイール２４は緑色蛍光体反射板２４Ｇと青色用透過拡散板２４Ｂとで円周を二分するように構成されている。１フレーム期間の開始時、カラーホイール２４では青色用透過拡散板２４Ｂから緑色蛍光体反射板２４Ｇへと切り替わる位置が半導体レーザ２０Ａ〜２０Ｃからの光軸上に位置するように投影光処理部３１によってモータ２５の回転が制御される。
【０２４２】
１フレームの当初、カラーホイール２４の中心角度で１０５°分に相当するＲフィールドの期間には、図１４（Ｂ）に示す如くＬＥＤ２１の点灯による赤色光のみを発生し、マイクロミラー素子１６に照射させる。
【０２４３】
このときマイクロミラー素子１６で赤色に対応した画像が表示されることで、その反射光により赤色の光像が形成され、投影レンズユニット１９を介して外部の投影対象に向けて投射される。
【０２４４】
この間、半導体レーザ２０Ａ〜２０Ｃの発振は一時的に停止される。そのため、半導体レーザ２０Ａ〜２０Ｃが発振していればその光軸上の位置にカラーホイール２４の緑色蛍光体反射板２４Ｇが存在するものの、半導体レーザ２０Ａ〜２０Ｃの発振が一時的に停止されているので光源光としての緑色光は発生されない。
【０２４５】
その後、Ｇフィールドの期間となると、ＬＥＤ２１を消灯させるとともに半導体レーザ２０Ａ〜２０Ｃでの発振を開始し、以後カラーホイール２４の中心角度で１０５°分に相当するＧフィールドの期間となる。
【０２４６】
このとき、半導体レーザ２０Ａ〜２０Ｃの発振によりカラーホイール２４の緑色蛍光体反射板２４Ｇで励起された緑色の反射光が光源光としてマイクロミラー素子１６に照射させる。
【０２４７】
したがってマイクロミラー素子１６で緑色に対応した画像を表示させることで、その反射光により緑色の光像が形成され、投影レンズユニット１９を介して外部の投影対象に向けて投射される。
【０２４８】
続いて、半導体レーザ２０Ａ〜２０Ｃでの発振を維持したまま、再度ＬＥＤ２１の点灯が開始され、以後カラーホイール２４の中心角度で８０°分に相当するＹフィールドの期間となる。
【０２４９】
このとき、ＬＥＤ２１の点灯による赤色光と、半導体レーザ２０Ａ〜２０Ｃの発振によりカラーホイール２４の緑色蛍光体反射板２４Ｇで励起された緑色の反射光とがダイクロイックミラー２３以降で混色され、黄色の光源光としてマイクロミラー素子１６に照射される。
【０２５０】
このときマイクロミラー素子１６で黄色に対応した画像を表示させることで、その反射光により緑色の光像が形成され、投影レンズユニット１９を介して外部の投影対象に向けて投射される。
【０２５１】
その後、ＬＥＤ２１が消灯されて赤色光の発生が再度停止されると共に、カラーホイール２４が回転して半導体レーザ２０Ａ〜２０Ｃからの光軸上に、緑色蛍光体反射板２４Ｇに代わって青色用透過拡散板２４Ｂが位置すると、カラーホイール２４の中心角度で７０°分に相当するＢフィールドの期間となり、このＢフィールド期間中は青色用透過拡散板２４Ｂで拡散した青色の透過光が光源光としてマイクロミラー素子１６に照射される。
【０２５２】
このときマイクロミラー素子１６で青色に対応した画像が表示されることで、その反射光により青色の光像が形成され、投影レンズユニット１９を介して外部の投影対象に向けて投射される。
【０２５３】
その後、Ｂフィールド及び１フレーム期間が終了し、青色用透過拡散板２４Ｂに代えて再び緑色蛍光体反射板２４Ｇが半導体レーザ２０Ａ〜２０Ｃからの光軸上に位置すると同時に、半導体レーザ２０Ａ〜２０Ｃの発振を一時的に停止させるとともに、ＬＥＤ２１を再度点灯して次のフレームのＲフィールド期間となる。
【０２５４】
このように、緑色蛍光体反射板２４Ｇと青色用透過拡散板２４Ｂが形成されたカラーホイール２４の回転に同期してＬＥＤ２１と半導体レーザ２０Ａ〜２０Ｃの点灯、発振タイミングを制御することで、ＬＥＤ２１単独での点灯による赤色光、半導体レーザ２０Ａ〜２０Ｃ単独での発振による緑色光、ＬＥＤ２１の点灯による赤色光と半導体レーザ２０Ａ〜２０Ｃの発振による緑色光との混色による黄色光、及び同青色光が時分割で循環的に発生し、マイクロミラー素子１６に照射されることとなる。
【０２５５】
特に、ＬＥＤ２１と半導体レーザ２０Ａ〜２０Ｃの双方を用いた混色（補色）による黄色光を得るべく、上記図４に示した場合に比して図５中に矢印Ｖａ，Ｖｂで示す如くＬＥＤ２１の点灯期間と半導体レーザ２０Ａ〜２０Ｃの発振期間を延長するものとして設定した。これにより、投影画像全体をより明るくすることができる。
【０２５６】
加えて、図１４（Ｂ）で示したＬＥＤ２１の点灯周期に着目すると、１フレーム中でＬＥＤ２１での点灯が必要とされる、ＲフィールドとＹフィールドの計２フィールドに対してＬＥＤ２１の点灯と消灯を２回のサイクルで実施している。
【０２５７】
このように、意図してＬＥＤ２１の駆動周波数を上げ、連続点灯する時間を短縮化することで、連続駆動による熱抵抗で発光輝度が低下するＬＥＤ２１の特性を考慮し、安定した高い輝度での発光駆動を維持できる。
【０２５８】
（第８の変形例）  
次に、本実施形態に係る第８の変形例について説明する。  
なお、本変形例においては、基本的なデータプロジェクタ装置１０の構成及び特に光源部１７の構成に関して上記図１及び図２に示した内容と同様であるものとし、その説明は省略する。
【０２５９】
ここでは、投影するカラー画像１フレームを構成するＲ，Ｇ，Ｍ（マゼンタ），Ｂの各色画像を投影する期間（以下「Ｒフィールド、Ｇフィールド、Ｍフィールド、Ｂフィールド」と称する）の計４フィールドとし、これらＲ，Ｇ，Ｍ，Ｂの各フィールド部分の時間比を１０．５：１０．５：８：７とする。
【０２６０】
すなわち、後述する、定速回転するカラーホイール２４４の１回転３６０°に対して、Ｒフィールド、Ｇフィールド、Ｍフィールド、及びＢフィールドの時間比ｒ：ｇ：ｍ：ｂは、カラーホイール２４４の中心角度に置換すると１０５°：１０５°：８０°：７０°となる。
【０２６１】
図１５は、上記カラーホイール２４に代わって使用されるカラーホイール２４４の構成を示す。同図に示すようにカラーホイール２４４上では、例えば中心角２１０°の円弧状の緑色蛍光体反射板２４Ｇと、中心角１５０°の青色用透過拡散板２４Ｂが合わせて１つのリングを形成する。
【０２６２】
緑色蛍光体反射板２４Ｇは、半導体レーザ２０Ａ〜２０Ｃからの青色光の照射位置にある場合、その照射により例えば波長約５３０［ｎｍ］を中心とした波長帯の緑色光が励起され、励起された緑色光がカラーホイール２４４で反射された後、レンズ群４４を介してダイクロイックミラー２３でも反射される。
【０２６３】
青色用透過拡散板２４Ｂは、半導体レーザ２０Ａ〜２０Ｃからの青色光の照射位置にある場合、半導体レーザ２０Ａ〜２０Ｃの発振する例えば波長約４５０［ｎｍ］の青色光を拡散しながら透過させる。透過した青色光はミラー２６，２７を介してダイクロイックミラー２８でも透過される。
【０２６４】
図１６（Ａ）は、マイクロミラー素子１６に対して照射される光源光の色を示す。このように、１フレームに相当する期間でＲフィールド、Ｇフィールド、Ｍフィールド、Ｂフィールドの各光像を１回ずつ形成するように制御される。
【０２６５】
図１６（Ｂ）はＬＥＤ２１の点灯タイミング、図１６（Ｃ）は半導体レーザ（Ｂ−ＬＤ）２０Ａ〜２０Ｃの発振によりカラーホイール（ＣＷ）２４４を介して発生される光源光の出力タイミングを示している。
【０２６６】
上記図１５で示した如くカラーホイール２４４は緑色蛍光体反射板２４Ｇと青色用透過拡散板２４Ｂとで円周を二分するように構成されている。１フレーム期間の開始時、カラーホイール２４４では青色用透過拡散板２４Ｂから緑色蛍光体反射板２４Ｇへと切り替わる位置が半導体レーザ２０Ａ〜２０Ｃからの光軸上に位置するように投影光処理部３１によってモータ２５の回転が制御される。
【０２６７】
１フレームの当初、カラーホイール２４４の中心角度で１０５°分に相当するＲフィールドの期間には、図１６（Ｂ）に示す如くＬＥＤ２１の点灯による赤色光のみを発生し、マイクロミラー素子１６に照射させる。
【０２６８】
このときマイクロミラー素子１６で赤色に対応した画像が表示されることで、その反射光により赤色の光像が形成され、投影レンズユニット１９を介して外部の投影対象に向けて投射される。
【０２６９】
この間、半導体レーザ２０Ａ〜２０Ｃの発振は一時的に停止される。そのため、半導体レーザ２０Ａ〜２０Ｃが発振していればその光軸上の位置にカラーホイール２４４の緑色蛍光体反射板２４Ｇが存在するものの、半導体レーザ２０Ａ〜２０Ｃの発振が一時的に停止されているので光源光としての緑色光は発生されない。
【０２７０】
その後、Ｇフィールドの期間となると、ＬＥＤ２１を消灯させるとともに半導体レーザ２０Ａ〜２０Ｃでの発振を開始し、以後カラーホイール２４の中心角度で１０５°分に相当するＧフィールドの期間となる。
【０２７１】
このとき、半導体レーザ２０Ａ〜２０Ｃの発振によりカラーホイール２４４の緑色蛍光体反射板２４Ｇで励起された緑色の反射光が光源光としてマイクロミラー素子１６に照射させる。
【０２７２】
したがってマイクロミラー素子１６で緑色に対応した画像を表示させることで、その反射光により緑色の光像が形成され、投影レンズユニット１９を介して外部の投影対象に向けて投射される。
【０２７３】
続いて、半導体レーザ２０Ａ〜２０Ｃでの発振を維持したまま、再度ＬＥＤ２１の点灯が開始される。カラーホイール２４４では緑色蛍光体反射板２４Ｇに代わって青色用透過拡散板２４Ｂが半導体レーザ２０Ａ〜２０Ｃからの光軸上に位置し、以後カラーホイール２４４の中心角度で８０°分に相当するＭフィールドの期間となる。
【０２７４】
このとき、ＬＥＤ２１の点灯による赤色光と、半導体レーザ２０Ａ〜２０Ｃの発振によりカラーホイール２４４の青色用透過拡散板２４Ｂを透過した青色光とがダイクロイックミラー２８以降で混色され、マゼンタ色の光源光としてマイクロミラー素子１６に照射される。
【０２７５】
このときマイクロミラー素子１６でマゼンタ色に対応した画像を表示させることで、その反射光によりマゼンタ色の光像が形成され、投影レンズユニット１９を介して外部の投影対象に向けて投射される。
【０２７６】
その後、ＬＥＤ２１が消灯されて赤色光の発生が再度停止され、以後カラーホイール２４４の中心角度で７０°分に相当するＢフィールドの期間となり、このＢフィールド期間中は青色用透過拡散板２４Ｂで拡散した青色の透過光のみが光源光としてマイクロミラー素子１６に照射される。
【０２７７】
このときマイクロミラー素子１６で青色に対応した画像が表示されることで、その反射光により青色の光像が形成され、投影レンズユニット１９を介して外部の投影対象に向けて投射される。
【０２７８】
その後、Ｂフィールド及び１フレーム期間が終了し、青色用透過拡散板２４Ｂに代えて再び緑色蛍光体反射板２４Ｇが半導体レーザ２０Ａ〜２０Ｃからの光軸上に位置すると同時に、半導体レーザ２０Ａ〜２０Ｃの発振を一時的に停止させるとともに、ＬＥＤ２１を再度点灯して次のフレームのＲフィールド期間となる。
【０２７９】
このように、緑色蛍光体反射板２４Ｇと青色用透過拡散板２４Ｂが形成されたカラーホイール２４４の回転に同期してＬＥＤ２１と半導体レーザ２０Ａ〜２０Ｃの点灯、発振タイミングを制御することで、ＬＥＤ２１単独での点灯による赤色光、半導体レーザ２０Ａ〜２０Ｃ単独での発振による緑色光、ＬＥＤ２１の点灯による赤色光と半導体レーザ２０Ａ〜２０Ｃの発振による青色光との混色によるマゼンタ色光、及び同青色光が時分割で循環的に発生し、マイクロミラー素子１６に照射されることとなる。
【０２８０】
特に、図１６（Ｂ）で示したＬＥＤ２１の点灯周期に着目すると、１フレーム中でＬＥＤ２１での点灯が必要とされる、ＲフィールドとＭフィールドの計２フィールドに対してＬＥＤ２１の点灯と消灯を２回のサイクルで実施している。
【０２８１】
このように、意図してＬＥＤ２１の駆動周波数を上げ、連続点灯する時間を短縮化することで、連続駆動による熱抵抗で発光輝度が低下するＬＥＤ２１の特性を考慮し、安定した高い輝度での発光駆動を維持できる。
【０２８２】
なお、上記実施形態は、半導体レーザ２０Ａ〜２０Ｃで青色のレーザ光を発振してカラーホイール２４（２４１〜２４４）により青色光及び緑色光を発生させる一方で、ＬＥＤ２１で赤色光を発生するものとして説明したが、本発明はこれに限らず、１つの光源で発生しうる原色光の輝度バランスが実用に適さない場合に、他の光源を用いてそれを補償するような、複数種類の光源を用いる光源部、及びそのような光源部を用いる投影装置であれば同様に適用可能である。
【０２８３】
また、上記実施形態は本発明をＤＬＰ（登録商標）方式のデータプロジェクタ装置に適用した場合について説明したものであるが、例えば透過型のモノクロ液晶パネルを用いて光像を形成する液晶プロジェクタ等にも同様に本発明を適用することができる。
【０２８４】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【０２８５】
１０…データプロジェクタ装置、１１…入出力コネクタ部、１２…入出力インタフェース（Ｉ／Ｆ）、１３…画像変換部（スケーラ）、１４…ビデオＲＡＭ、１５…投影画像処理部、１６…マイクロミラー素子（ＳＬＭ）、１７…光源部、１８…ミラー、１９…投影レンズユニット、２０…（Ｂ発光）半導体レーザ、２１…（Ｒ発光）ＬＥＤ、２２…ミラー、２３…ダイクロイックミラー、２４，２４１〜２４４…カラーホイール、２４Ｂ，２４Ｂ１…青色用透過拡散板、２４Ｂ２…青色用蛍光体反射板、２４Ｃ…シアン色蛍光体反射板、２４Ｇ，２４Ｇ１，２４Ｇ２…緑色蛍光体反射板、２５…モータ（Ｍ）、２６，２７…ミラー、２８…ダイクロイックミラー、２９…インテグレータ、３０…ミラー、３１…投影光処理部、３２…ＣＰＵ、３３…メインメモリ、３４…プログラムメモリ、３５…操作部、３６…音声処理部、３７…スピーカ部、４１Ａ〜４１Ｃ，４２，４３…レンズ、４４…レンズ群、４５〜５２…レンズ、５３…レンズ群、ＳＢ…システムバス。
【図１】
2011028244.tif 000003
【図２】
2011028244.tif 000004
【図３】
2011028244.tif 000005
【図４】
2011028244.tif 000006
【図５】
2011028244.tif 000007
【図６】
2011028244.tif 000008
【図７】
2011028244.tif 000009
【図８】
2011028244.tif 000010
【図９】
2011028244.tif 000011
【図１０】
2011028244.tif 000012
【図１１】
2011028244.tif 000013
【図１２】
2011028244.tif 000014
【図１３】
2011028244.tif 000015
【図１４】
2011028244.tif 000016
【図１５】
2011028244.tif 000017
【図１６】
2011028244.tif 000018